(57)【要約】患者の身体の中に移植されたインプラントの印象をとるためのシステムが、インプラント係合部分および構成要素支持部分を有するアバットメントを有することができる。インプラント係合部分は、患者の身体の中に移植されるように構成されたインプラントに係合されるように構成され得、構成要素支持部分は少なくとも１つの保持溝を有することができる。このシステムは、構成要素支持部分を受けるように構成されて、少なくとも１つの保持溝にスナップフィット係合されるように構成された少なくとも１つの突起フィーチャを有する印象コーピングをさらに有することができ、この印象コーピングは金属を含む材料から作られる。
2012517861.tif 000002
【特許請求の範囲】
【請求項１】
患者の身体の中に移植されたインプラントの印象を取得するためのシステムであって、前記システムが、
インプラント係合部分および構成要素支持部分を有するアバットメントであって、前記インプラント係合部分が患者の身体の中に移植されるように構成されたインプラントに係合されるように構成され、前記構成要素支持部分が少なくとも１つの保持溝を有する、アバットメントと、
前記構成要素支持部分を受けるように構成され、前記少なくとも１つの保持溝にスナップフィット係合されるように構成された少なくとも１つの突起フィーチャを有する印象コーピングと
を有し、
前記印象コーピングが金属を含む材料から作られる
ことを特徴とするシステム。
【請求項２】
前記印象コーピングが、前記印象コーピングが前記アバットメントにスナップフィット係合されるときに前記アバットメントが係合されるインプラントの肩部上に位置されるように構成される根尖側端部を有することを特徴とする請求項１に記載のシステム。
【請求項３】
前記印象コーピングが、挿入部および前記挿入部を受けるように構成されるハウジングを有する２部品からなる構成であることを特徴とする請求項１に記載のシステム。
【請求項４】
前記挿入部が、前記少なくとも１つの突起フィーチャを担持する少なくとも１つの撓みタブを有することを特徴とする請求項３に記載のシステム。
【請求項５】
前記少なくとも１つの撓みタブが実質的に互いに反対側に配置される２つの撓みタップを有することを特徴とする請求項４に記載のシステム。
【請求項６】
前記少なくとも１つの撓みタブが弾性的に撓み可能であることを特徴とする請求項４に記載のシステム。
【請求項７】
前記少なくとも１つの突起フィーチャが、約０．０１５インチ（０．３８ｍｍ）から０．０２５インチ（０．６４ｍｍ）の範囲の曲率半径を有する凸面形状を有することを特徴とする請求項４に記載のシステム。
【請求項８】
前記少なくとも１つの保持溝が前記インプラント係合部分に近接して配置されることを特徴とする請求項１に記載のシステム。
【請求項９】
前記インプラント係合部分が、インプラントの歯冠側首部内の開口部に対合されるように構成される円錐冠状領域を有することを特徴とする請求項１に記載のシステム。
【請求項１０】
前記円錐冠状領域が約１．５°から約１５°の範囲の角度でテーパがつけられていることを特徴とする請求項９に記載のシステム。
【請求項１１】
前記アバットメントの前記構成要素支持部分が、前記アバットメント上で支持される構成要素の回転を阻害するように構成された非回転機能を有することを特徴とする請求項１に記載のシステム。
【請求項１２】
前記少なくとも１つの保持溝がラジアス形表面形状を有することを特徴とする請求項１に記載のシステム。
【請求項１３】
前記少なくとも１つの保持溝の前記表面が約０．０１インチ（０．２５ｍｍ）から約０．０６インチ（１．５ｍｍ）の範囲の曲率半径を有することを特徴とする請求項１２に記載のシステム。
【請求項１４】
前記少なくとも１つの保持溝が約０．００１インチ（０．０２５ｍｍ）から約０．００６インチ（０．１５ｍｍ）の範囲の深さを有することを特徴とする請求項１に記載のシステム。
【請求項１５】
前記アバットメントが、約４．１ｍｍから約６．５ｍｍの範囲の歯冠側首部直径を有するインプラントに係合されるように構成されることを特徴とする請求項１に記載のシステム。
【請求項１６】
身体部位を補綴部品に交換するためのシステムであって、前記システムが、
インプラント係合部分および構成要素支持部分を有するアバットメントであって、前記インプラント係合部分が患者の中に移植されるように構成されたインプラントに係合されるように構成され、前記構成要素支持部分が少なくとも１つの保持溝を有する、アバットメントと、
補綴部品のためのフレームワークであって、前記フレームワークが、前記フレームワークを前記アバットメント上で保持するために前記アバットメント上の前記少なくとも１つの保持溝に係合されるように構成される少なくとも１つの突起フィーチャを有する、フレームワークと
を有することを特徴とするシステム。
【請求項１７】
前記フレームワークが金属を含む材料から作られることを特徴とする請求項１６に記載のシステム。
【請求項１８】
前記インプラント係合部分が、インプラントの歯冠側首部内の開口部に対合されるように構成される円錐冠状領域を有することを特徴とする請求項１６に記載のシステム。
【請求項１９】
前記フレームワークが永久的なトゥースリストレーションの一部を形成するように構成されることを特徴とする請求項１６に記載のシステム。
【請求項２０】
デンタルリストレーションを作って移植するためのキットであって、前記キットが、
インプラント係合部分および構成要素支持部分を有するアバットメントであって、前記インプラント係合部分がデンタルインプラントに係合されるように構成され、前記構成要素支持部分が、前記構成要素支持部分の外側周囲表面上に配置される少なくとも１つの保持溝を有する、アバットメントと、
前記少なくとも１つの保持溝にスナップフィット係合されるように構成される少なくとも１つの突起フィーチャを有する印象コーピングと、
前記少なくとも１つの保持溝にスナップフィット係合されるように構成される少なくとも１つの突起フィーチャを有する一時的コーピングと
を有することを特徴とするキット。
【請求項２１】
外側周囲表面上に配置される少なくとも１つの保持溝を有する構成要素支持部分を有するアナログと、
前記アナログ上の前記少なくとも１つの保持溝にスナップフィット係合されるように構成される少なくとも１つの突起フィーチャを有する少なくとも１つのバーンアウトコーピングと、
をさらに有することを特徴とする請求項２０に記載のキット。
【請求項２２】
前記アナログの前記構成要素支持部分が前記アバットメントの前記構成要素支持部分と実質的に同じ寸法を有することを特徴とする請求項２０に記載のキット。
【請求項２３】
金属を含む材料で作られる印象コーピング上の少なくとも１つの突起フィーチャを、患者の身体内に移植されたインプラントに取り付けられたアバットメント上に配置された少なくとも１つの保持溝にスナップフィットさせるステップと、
前記印象コーピングの少なくとも一部分の上に印象材を配置するステップと、
前記少なくとも１つの突起フィーチャを前記少なくとも１つの保持溝から外すのに十分な持ち上げ力を用いて前記印象コーピングを前記アバットメントから持ち上げることにより、前記印象コーピングの前記少なくとも一部分の上に配置される前記印象材と一体に前記印象コーピングを前記アバットメントから取り外すステップと
を含む、ことを特徴とする、患者の身体内に移植されたインプラントの印象をとる方法。
【請求項２４】
永久的なトゥースリストレーションのフレームワーク上の少なくとも１つの突起フィーチャを、患者の身体内に移植されたデンタルインプラントに取り付けられたアバットメント上に配置された少なくとも１つの保持溝に係合させるステップ
を含む、ことを特徴とする、永久的なトゥースリストレーションを移植する方法。
【請求項２５】
前記フレームワークが金属を含む材料から作られることを特徴とする請求項２４に記載の方法。
【発明の詳細な説明】
【技術分野】
【０００１】
本教示は、例えば骨および／または軟骨内などの患者の身体内に移植されるように構成されるインプラントと共に使用される構成要素に関する。例えば、本教示は、患者の身体内に嵌合されているインプラントのところで印象をとり、補綴部分を形成するためにその印象を移し替え、補綴部品をインプラントに固定するための構成要素に関する。特定の例では、本教示は、一時的および／または永久的な交換歯（ｒｅｐｌａｃｅｍｅｎｔ  ｔｏｏｔｈ）（リストレーション）を形成しデンタルインプラントに固定するために、デンタルインプラントと共に使用される構成要素に関する。
【背景技術】
【０００２】
骨および／または軟骨内に位置されるインプラントは、例えば補綴部品などを用いて身体の部位を交換するための、進展している分野である再構成技術を代表するものである。このようなインプラントは、骨および／または軟骨内に固定され得、補綴本体部品を定位置に留めるのに使用され得る。インプラントの位置において正確かつ見た目に満足できるような嵌合を確実に行えるような補綴本体部品を作るのを促進するために、患者の身体内に移植されるインプラントの位置の印象がとられ、インプラントさらにはインプラントを囲む身体の部位の位置および位置決めを記録する。
【０００３】
比較的幅広く使用されるインプラントの１つのタイプにはデンタルインプラントが含まれる。歯の移植の際、穴が、歯肉、歯根を囲む歯茎を貫通するようにおよび／または顎骨内へとドリル穴空けされる。例えばチタンまたはチタン合金で作られてよいインプラントは、次いで、顎骨の穴内に固定される。数ヶ月にわたり、チタンインプラントは、オッセオインテグレーションと呼ばれる処理を通して顎骨に融合される。数週間から数ヶ月の範囲の一定時間後、永久的な交換歯（最終リストレーションまたは永久的リストレーション（ｐｅｒｍａｎｅｎｔ  ｒｅｓｔｏｒａｔｉｏｎ）と称される場合もある）が患者の口の中のインプラントに対して固定される。永久的な交換歯を配置する前に、患者は、永久的な交換歯が定位置にくる前の期間に何らかの機能を提供するためおよび見た目のために、インプラントに対して固定される一時的な交換歯（一時的リストレーションと称される場合もある）を有することもできる。
【０００４】
永久的および一時的な交換歯を作って移植するためのデンタルインプラントシステムおよび技術は、一般に、いくつかの構成要素部品およびステップを使用することを伴う。永久的な交換歯を用意するために、一手法は、患者の口の中に嵌合されるインプラントに対して印象コーピング（トランスファーコーピングとも称される）を位置決めすることと、インプラントに係合されるおよびインプラントの位置のところにある軟組織および骨に係合される例えばアバットメントなどの任意の上部構造であるインプラントの歯冠側端部（ｃｏｒｏｎａｌ  ｅｎｄ）（すなわち、リストレーションを受ける端部）の印象をとるために印象材内に印象コーピングを埋め込むことと、モデリングコンパウンドを印象上へと注入することよって主模型を形成するために、このようにして形成された印象を、歯科技工所においてアナログ（例えば、インプラントのアバットメントおよび肩部のレプリカ）へと移し替えることと、を必要とする。
【０００５】
１つの従来技術では、この段階において、印象材を含む印象コーピングはアナログおよび主模型から取り外され得、プラスチックのバーンアウトコーピングがアナログ上に位置され得る。永久的リストレーションを形成するためにベニヤ材料（ｖｅｎｅｅｒｉｎｇ  ｍａｔｅｒｉａｌ）（例えば、陶材など）が塗布される金属フレームワークを形成するのに最終的に使用されるファンデーションの外形を形成するために、バーンアウトコーピング上にワックスが使用されてよい。所望される通りに形成されると、ワックスおよびバーンアウトコーピングがシェル内に嵌合され、溶融金属がシェル内へと注入され、ワックスおよびバーンアウトコーピングが焼失され、凝固する際に金属フレームワークが形成される。この処理は、「ロストワックス」技術と称されることがある。
【０００６】
金属フレームワークは、最終的に、アナログおよびそれに接着される永久的リストレーションのベニヤ部分上に戻されて配置される。このようにして形成された永久的リストレーション構造は、次いで、患者の口の中に配置され得、フレームワークがインプラント上の任意の上部構造（例えば、アバットメント）の上に位置されてセメントを介してインプラントに対して定位置で固定される。複数の交換歯が必要とされる場合、複数のバーンアウトコーピング（例えば、２つ）が複数のアナログ上に配置されてよく、複数の永久的リストレーションを一体に接続させる金属フレームワークを作るために上述した手順がそれぞれに対して実行される。当業者であれば、複数の永久的リストレーションのためのこのような金属フレームワークを作ることに精通している。
【０００７】
一時的な歯を配置するために、いわゆる一時的コーピングが、インプラント、および、存在する場合は患者の口の中のアバットメントなどの上部構造に係合され、一時的な歯を作るのに使用される材料（例えば、アクリル樹脂材料など）がそれに接着される。この処理は、歯科医によって患者の椅子のわきで、または歯科技工所で行われ得る。必要に応じて、例えばアバットメントを削り落とすバーを使用することにより、リストレーションを支持するアバットメントの部分の高さ、角度および／または咬合面間遊隙（ｉｎｔｅｒ−ｏｃｃｌｕｓａｌ  ｃｌｅａｒａｎｃｅ）に対して何らかの調整が行われてよい。一部の手法では、例えばセメントまたは別の接着剤を介してベニヤ材料と機械的接着を形成するようになされている、プラスチックの一時的コーピングが、アバットメントまたはデンタルアナログの上に配置されてよい。やはり、必要に応じて、一時的リストレーションの咬合面の高さ（ｉｎｔｅｒ−ｏｃｃｌｕｓａｌ  ｈｅｉｇｈｔ）、遊隙、および／または角度に対して調整が行われてよい。既製のポリカーボネートの歯冠またはバキュームステントが、一時的リストレーションの製造を完了させるためにベニヤ材料と共に使用されてよい。
【０００８】
組織刺激を回避するために、接合面が滑らかになり、コーピングまたはフレームワークがインプラントに対合されるリストレーションの根尖側端部（ａｐｉｃａｌ  ｅｎｄ）のところのベニヤ材料と同一平面となるまで、一時的コーピングまたはフレームワークとベニヤ材料との間の接合面を仕上げることが重要である。場合によっては、永久的リストレーションの金属フレームワークと同様に、一時的コーピングをインプラント、アナログまたはアバットメントの上で接触させて固定するのに使用される、一時的コーピング上の任意のリップまたは別の干渉フィーチャが、滑らかな接合面を形成するために、および、適切なセメント接合および／または過剰なセメントを押し出すことを可能にするために、除去される。次いで、一時的コーピングをアバットメントに固定するために、一時的コーピングの内側部分上に一時的なセメントが使用されてよい。
【０００９】
一部の従来の印象法では、印象コーピングさらには一時的コーピングおよび／またはフレームワークは、デンタルインプラントの肩部との保持係合を介してインプラントに対して固定される。このような構成は、これらの構成要素を定位置で固定するときに問題を生じる可能性がある。例えば、インプラントは患者の歯肉線の下方に位置される場合があることから、インプラントの肩部に係合されるように構成されたコーピングを挿入することが困難となる可能性がある。このような困難さには、歯肉組織の下に係合される部品の例えば触感および／または聴覚による感覚などの知覚が鈍るために、適切な係合がいつなされたのかを知ることが含まれる。さらに、コーピングおよび／またはフレームワークをインプラントに係合させる際に歯肉組織を邪魔にならないように押すことが困難になる場合があり、それにより、患者の歯肉組織の一部分が挟まれることがある。例えば、コーピングの端部分とインプラントの肩部との間でのスナップフィット保持に頼る一部の従来のコーピング構成では、スナップフィット係合を達成するために、コーピングの端部をある程度拡張させることが必要となる場合がある。これは、特に、インプラントとの係合の位置が歯肉線のかなり下方にある場合に達成することが困難となる可能性がある。所望される拡張を達成するために、一部の従来の印象コーピングはプラスチックで作られていてよく、したがってＸ線で観察され得ず、場合によっては、患者の口の中でのインプラントの位置の特定および印象の精度が制限されてしまう。
【００１０】
加えて、一部の従来の技術は、自由端部のところに配置される実質的に例えばリップの形態の機構、または、歯科技工所においてスナップオン形式でアナログに係合されるように構成される別の特徴を含むバーンアウトコーピング構成に依存する。バーンアウトコーピングは通常、例えばプラスチックなどの変形可能材料で作られることから、リップは比較的変形しやすく、アナログに係合されやすい。このようなバーンアウトコーピングに依存する成形物から作られるフレームワークも、その自由端部のところに配置される対応するリップを有する。しかし、フレームワークは実質的に非変形可能材料（ｎｏｎ−ｄｅｆｏｒｍａｂｌｅ  ｍａｔｅｒｉａｌ）（例えば、金属または金属合金）で作られることから、フレームワークは、スナップオン形式でアナログに係合され得ない場合がある。したがって、このようなバーンアウトコーピング構成に依存する従来技術では、フレームワーク上のリップまたは別の特徴は、一般に、アナログに、したがってさらにはインプラントの肩部またはアバットメントに同一平面で対合されるのを可能にするように機械加工で除去される。別の方法では、フレームワークは、永久的に装着されると、インプラントまたはアバットメントの肩部に対して同一平面で配置され得ない。このように不適切に嵌合されると、永久的リストレーションとアバットメントおよび／またはインプラントの肩部との間に空間ができる場合があり、接着材料（例えば、セメント）の流出、永久的リストレーションの経時的な損傷（例えば、欠損）、および／または、リストレーションが不適切に設置されることによる組織の生物学的変化が起こる可能性がある。
【００１１】
フレームワークを機械加工することは時間がかかる場合があり、また、永久的リストレーションとアナログおよび／またはアバットメントとの間の嵌合が不正確になる場合がある。これに関して、機械加工で除去されるリップは自由端部から延在することから、リップがどの程度除去されかを判断することが困難になる場合がある。リップが十分に除去されない場合、同一平面での対合（例えば、正確な設置）を達成することが困難となる場合がある。永久的リストレーションのフレームワークから過度に除去されると、構成要素間に隙間ができる場合がある。セメントがこれらの空隙を埋めることができるが、セメントは、金属鋳造物が有する程度の機械的強度を有することができない。
【００１２】
また、一部の従来の印象法では、歯科技工所のアナログはインプラント上のアバットメントより大きく、したがって、永久的リストレーションとアバットメントとの間の嵌合が比較的緩くなる。永久的リストレーションをインプラントに対して接着するのに通常使用されるセメントのための空間を作るために、永久的リストレーションとアバットメントとの間の嵌合を緩くすることが（例えば、大きな空間が）必要となる場合がある。言い換えると、十分な空間が提供されない場合、永久的リストレーションを設置するときにセメントから過度の液圧が発生し、セメントが硬化するときにリストレーションが不正確に設置される可能性がある。従来の一時的コーピングもまた、一時的リストレーションをインプラントに対して接着するのに使用される一時的なセメントのための空間を作るために一時的コーピングとアバットメントとの間の嵌合を比較的緩くするような大きさであることから、一時的リストレーションの場合にも同様のことが起こる可能性がある。
【００１３】
上述した問題の一部に基づき、例えばアバットメントおよびインプラントと交換歯構造（一時的リストレーションまたは永久的リストレーションのいずれか）の嵌合の精度および精密度を改善し、リストレーションを作るのにかかる全時間を短縮し、ならびに／または、デンタルインプラントに対して、例えば、患者の口の中でそれに関連するアバットメントなどの上部構造に対して、コーピング（例えば、印象コーピングおよび／もしくは一時的コーピング）および／もしくは永久的リストレーションのフレームワークを係合させることを容易にする、システムを提供することが所望される場合がある。これらの所望の特徴のうちの１つまたは複数を達成するのを補助するために、一部の従来の技術およびそれらの構成要素を用いたときに形成される緩い嵌合ではなく、アバットメント／インプラントに対する比較的緊密で精密な嵌合を実現する永久的リストレーションのフレームワークを作るためのバーンアウトコーピングおよび／またはアナログを提供することがさらに所望される場合がある。また、アバットメントとの精密で十分に強固な機械的係合を実現するように構成され、さらに、セメントおよび／または別の接着材料の使用の必要性をなくすような、例えば、印象コーピング、一時的リストレーション、および／または永久的リストレーションなどの構成要素を提供することが所望される場合がある。
【００１４】
また、印象をとるとき、リストレーションを作るとき、および、リストレーションを患者の口の中に固定するときに使用される、互いに係合されるように構成された種々の構成要素を含むデンタル印象／インプラントシステム（ｄｅｎｔａｌ  ｉｍｐｒｅｓｓｉｏｎ  ａｎｄ  ｉｍｐｌａｎｔ  ｓｙｓｔｅｍ）を提供することが所望される場合がある。歯科医療従事者が精通する現存のデンタルインプラントに係合され得るような構成要素を提供することが所望される場合がある。
【先行技術文献】
【特許文献】
【００１５】
【特許文献１】米国特許出願第１２／３３２，５２４号明細書
【発明の概要】
【課題を解決するための手段】
【００１６】
本教示は、上で言及した所望の特徴のうちの１つまたは複数を満たすことができるおよび／または上で言及した問題のうちの１つまたは複数を解決することができる。別の特徴および／または利点は以下の説明から明らかとなる。
【００１７】
本教示の種々の例示の実施形態によると、患者の身体の中に移植されたインプラントの印象をとるためのシステムが、インプラントに係合される部分（以下、インプラント係合部分）および構成要素を支持する部分（以下、構成要素支持部分）を有するアバットメントを有することができる。インプラント係合部分は、患者の身体の中に移植されるように構成されたインプラントに係合されるように構成され得、構成要素支持部分は少なくとも１つの保持溝を有することができる。このシステムは、構成要素支持部分を受けるように構成されて、少なくとも１つの保持溝にスナップフィット係合されるように構成された少なくとも１つの突起フィーチャを有する印象コーピングをさらに有することができ、この印象コーピングは金属を含む材料から作られる。
【００１８】
本教示の種々の例示の実施形態によると、身体部位を補綴部品に交換するためのシステムが、インプラント係合部分および構成要素支持部分を含むアバットメントを有することができる。インプラント係合部分は、患者の中に移植されるように構成されたインプラントと少なくとも１つの保持溝を有する構成要素支持部分とに係合されるように構成され得る。このシステムは補綴部品のためのフレームワークをさらに有することができ、このフレームワークは、アバットメント上でフレームワークを保持するために少なくとも１つの保持溝に係合されるように構成された少なくとも１つの突起フィーチャを有する。
【００１９】
本教示の種々の例示の実施形態によると、デンタルリストレーションを作って移植するためのキットが、インプラント係合部分および構成要素支持部分を含むアバットメントを有することができる。インプラント係合部分はデンタルインプラントに係合されるように構成され得、構成要素支持部分は、構成要素支持部分の外側周囲表面上に配置される少なくとも１つの保持溝を有することができる。このキットは、少なくとも１つの保持溝にスナップフィット係合されるように構成された少なくとも１つの突起フィーチャを含む印象コーピングと、少なくとも１つの保持溝にスナップフィット係合されるように構成された少なくとも１つの突起フィーチャを含む一時的コーピングと、をさらに有することができる。
【００２０】
本教示の種々の例示の実施形態によると、患者の身体内に移植されたインプラントの印象をとるための方法が、金属を含有する材料で作られた印象コーピング上の少なくとも１つの突起フィーチャを、患者の身体内に移植されたインプラントに取り付けられたアバットメント上に配置される少なくとも１つの溝にスナップフィットさせるステップと、印象コーピングの少なくとも一部分の上に印象材を配置するステップと、少なくとも１つの突起フィーチャを少なくとも１つの保持溝から外すのに十分な持ち上げ力を用いて印象コーピングをアバットメントから持ち上げることにより、印象コーピングの少なくとも一部分の上に配置される印象材と一体に印象コーピングをアバットメントから取り外すステップと、を含むことができる。
【００２１】
本教示の種々の例示の実施形態によると、永久的トゥースリストレーション（ｐｅｒｍａｎｅｎｔ  ｔｏｏｔｈ  ｒｅｓｔｏｒａｔｉｏｎ）を移植するための方法が、永久的なトゥースリストレーションのフレームワーク上の少なくとも１つの突起フィーチャを、患者の身体内に移植されたデンタルインプラントに取り付けられたアバットメント上に配置される少なくとも１つの保持溝に係合させるステップを含むことができる。
【００２２】
本教示の追加の目的および／または利点は一部は以下の記述に記載されており、一部はこの記述から明らかとなり、または本教示を実施することによって認識され得る。これらの目的および利点は，特に添付の請求の範囲に示される要素および組み合わせによって実現され、達成され得る。
【００２３】
上述の概略的な記述および以下の詳細な記述の両方とも単に例示および説明のためのものであり、本教示および特許請求の範囲を限定するものではないことを理解されたい。むしろ、特許請求の範囲は、均等物を含めた広い範囲を包含することを意図する。
【００２４】
本明細書の一部に組み込まれかつその一部を構成する添付図面は、本教示の例示の実施形態を示しており、記述と共に、特定の原理を説明する働きをする。
【図面の簡単な説明】
【００２５】
【図１】本教示によるアバットメントの例示の実施形態を示す斜視図である。
【図２】図３の線２−２に沿った、図１のアバットメントを示す断面図である。
【図３】図１のアバットメントを示す歯冠側端部からの図である。
【図４】図３の区間Ｂを示す詳細図である。
【図５】図３の線５−５に沿った断面図である。
【図６】本発明の教示による印象コーピングの例示の実施形態を示す側面図である。
【図７】図６の線７−７に沿った、図６の印象コーピングを示す断面図である。
【図８】図６の印象コーピングを示す歯冠側端部からの図である。
【図９】図６の印象コーピングの挿入部を示す側面図である。
【図１０】図６の印象コーピングの挿入部を示す別の側面図である。
【図１１】図９の線１１−１１に沿った、挿入部を示す断面図である。
【図１２】図１１内で図１２と表示された部分を示す詳細図である。
【図１３】図６の印象コーピングの挿入部を示す斜視図である。
【図１４】図６の印象コーピングのハウジングを示す斜視図である。
【図１５】図１４のハウジングを示す側面図である。
【図１６】図１５の線１６−１６に沿った断面図である。
【図１７】図１５の線１７−１７に沿った断面図である。
【図１８】本教示によるデンタルインプラントの例示の実施形態を示す側面図である。
【図１９】図２０の線１９−１９に沿った、図１８のインプラントを示す断面図である。
【図２０】図１８のインプラントを示す歯冠側端部からの図である。
【図２１】図１８〜２０のインプラントに対合係合された、図１〜５のアバットメントを示す長手方向の断面図である。
【図２２Ａ】図２１のアバットメントおよびインプラントに係合された、図６の印象コーピングを示す垂直方向の平面の長手方向断面図である。
【図２２Ｂ】図２１のアバットメントおよびインプラントに係合された、図６の印象コーピングを示す垂直方向の平面の長手方向断面図である。
【図２３】本教示による一時的コーピングの例示の実施形態を示す斜視図である。
【図２４】図２３の一時的コーピングを示す根尖側端部からの図である。
【図２５】図２４の線２５−２５に沿った、図２３の一時的コーピングを示す断面図である。
【図２６】図２４の線２６−２６に沿った、図２３の一時的コーピングを示す断面図である。
【図２７】本教示による一時的コーピングの別の例示の実施形態を示す、図２４の図と同様の断面図である。
【図２８】本教示によるアナログの例示の実施形態を示す側面図である。
【図２９】図２８のアナログを示す別の側面図である。
【図３０】図２８のアナログを示す歯冠側端部からの図である。
【図３１】本教示によるバーンアウトコーピングの例示の実施形態を示す斜視図である。
【図３２】図３１のバーンアウトコーピングを示す根尖側端部からの図である。
【図３３】図３２の線３３−３３に沿った、図３１のバーンアウトコーピングを示す断面図である。
【図３４】図３２の線３４−３４に沿った、図３１のバーンアウトコーピングを示す断面図である。
【図３５】本教示による永久的リストレーションを形成するための、フレームワークを支持するベニヤ材料（フレームワーク構造を示すために破線で示される）の例示の実施形態を示す斜視図である。
【図３６】図３５のフレームワークを示す根尖側端部からの図である。
【図３７】図３６の線３７−３７に沿った、図３５のフレームワークを示す断面図である。
【図３８】図３６の線３８−３８に沿った、図３５のフレームワークを示す断面図である。
【図３９】本教示による角度つきアバットメントの例示の実施形態を示す斜視図である。
【図４０】本教示による印象コーピングの別の例示の実施形態を示す、図７の図と同様の断面図である。
【図４１】本教示によるアバットメントの別の例示の実施形態を示す斜視図である。
【発明を実施するための形態】
【００２６】
次に、その実施例が添付図面に示されている、本教示の種々の例示の実施形態を詳細に参照する。可能な限り、同一の参照符号が、同一または同様の部分を参照するために複数の図面を通して使用される。
【００２７】
本教示は、歯科用の印象をとること、交換歯（リストレーション）を作ること、および、デンタルインプラントに対してリストレーションを固定することに有用であるシステムおよびその構成要素を企図する。本教示の種々の例示の実施形態が印象法と共に使用され得、ここでは、印象がとられるときにアバットメントがインプラントに係合されること、が企図される。本教示の種々の例示の実施形態はインプラントと共に使用され得、ここでは、例えばいわゆる「シングルステージインプラント」などの、アバットメントに接触するインプラントの肩部は、歯肉組織の上方に延在するまたは歯肉組織の高さにあるまたは歯肉組織のわずかに下方にあるが、その使用は限定することを意図しない。種々の例示の代替的実施形態では、本教示は、「埋められる」すなわち骨の下に配置されるインプラントの肩部を有するインプラントと共に使用され得、アバットメントが、対合構成要素の根尖側端部のためのフィニッシュラインを形成する肩部分を備える。
【００２８】
また、とりわけ、限定しないが例えば、４．１ｍｍおよび４．８ｍｍのソリッドスクリューアンドテーパードエフェクトインプラント（Ｓｏｌｉｄ  Ｓｃｒｅｗ  ａｎｄ  Ｔａｐｅｒｅｄ  Ｅｆｆｅｃｔ  Ｉｍｐｌａｎｔ）を含むＩＴＩ  Ｓｔｒａｕｍａｎｎによって作られている種々のソリッドスクリューアンドテーパードエフェクトインプラント、ならびに、４．８ｍｍのワイドネックソリッドスクリューインプラント（Ｗｉｄｅ  Ｎｅｃｋ  Ｓｏｌｉｄ  Ｓｃｒｅｗ  Ｉｍｐｌａｎｔ）およびテーパードエフェクトインプラント（Ｔａｐｅｒｅｄ  Ｅｆｆｅｃｔ  Ｉｍｐｌａｎｔ）；Ｋｅｙｓｔｏｎｅ  Ｓｔａｇｅ−１  ａｎｄ  ＸＰ  ｉｍｐｌａｎｔ；ＢｌｕｅＳｋｙＢｉｏ  Ｏｎｅ  Ｓｔａｇｅ  Ｉｍｐｌａｎｔ  ｗ／ＳｏｌｉｄおよびＥｘｃｅｌｌｅｎｔ  ＳｏｌｉｄのレギュラープラットフォームおよびワイドプラットフォームのＯｓｓｔｅｍ  ＳＳ  Ｉｍｐｌａｎｔ（Ｒｅｇｕｌａｒ  ａｎｄ  Ｗｉｄｅ  Ｐｌａｔｆｏｒｍ，  Ｏｓｓｔｅｍ  ＳＳ  Ｉｍｐｌａｎｔ  ｗｉｔｈ  Ｓｏｌｉｄ  ａｎｄ  Ｅｘｃｅｌｌｅｎｔ  Ｓｏｌｉｄ）、３Ｉ  ＴＧ  ｉｍｐｌａｎｔおよびＺｉｍｍｅｒ’ｓ  ＳｗｉｓｓＰｌｕｓ  ｉｍｐｌａｎｔを含む従来のインプラント構成などの種々のインプラント構成と共に、種々の構成要素が使用され得ることが企図される。種々の例示の実施形態がそれと共に使用されるように構成されるインプラントはまた、限定しないが、例えば、当業者が精通する、テーパがつけられた内側に歯冠側首部（例えば、円錐テーパ形の内側の歯冠側首部）および／または割出しされた（例えば、多角形の）非回転の内側の歯冠側首部フィーチャを含めた、本教示によるアバットメントに対合されるための様々な冠状構成を含むことができる。当業者であれば、本教示による種々の構成要素と共に使用され得る多様な従来のインプラントおよび別のインプラント構造を認識するであろう。
【００２９】
種々の代替の例示の実施形態では、本教示によるアバットメントは、分離した係合可能な構想要素として形成されるのではなく、単一部品構造としてインプラントと一体に形成され得る。
【００３０】
種々の例示の実施形態によると、本教示は、その外側周囲表面（例えば、外側側表面）上に１つまたは複数の保持溝を含むデンタルインプラントに係合されるように構成されるまたはそれと一体に作られ、さらに、アバットメントの印象をとるために印象コーピング上の１つまたは複数の突起フィーチャと患者の口の中に嵌合されたインプラントとに係合されるように構成されるアバットメントを企図する。種々の例示の実施形態では、印象コーピングは、金属、金属合金、および／または、Ｘ線で観察され得る別の放射線不透過物質で作られ得る。本教示の種々の例示の実施形態によるアバットメントはまた、セメントまたは別の接着機構の使用を必要とすることなくアバットメントに対する一時的リストレーションまたは永久的リストレーションの機械的固定を達成するために一時的コーピングまたは永久的リストレーションのフレームワーク上の１つまたは複数の突起フィーチャに係合されるように構成される、その外側周囲表面上に１つまたは複数の保持溝を含むことができる。１つまたは複数の保持溝はラジアス形表面形状を有することができる。すなわち、保持溝は曲率半径を有するように形成され得る。
【００３１】
例示の実施形態では、本教示のアバットメントは、根尖側方向において１つまたは複数の保持溝に隣接する有意な肩部は有さない。言い換えると、アバットメントの最も広い部分は、アバットメントがそれに対合されるように構成されるインプラントの歯冠側首部の肩部を越えて径方向に延在しない。したがって、本教示の種々の例示の実施形態によるアバットメントは、構成要素（例えば、印象コーピングおよび／もしくは一時的コーピング、ならびに／または永久的リストレーションのフレームワーク）をアバットメントに機械的に固定することを可能にすると同時に、構成要素とインプラントの肩部とのフィニッシュラインを確保する。言い換えると、本教示による種々の例示の実施形態によるアバットメントに固定されている場合、本教示の種々の構成要素の根尖側端部は、アバットメントの例えば肩部といったような部分ではなく、インプラントの肩部に係合され得る。しかし、代替の例示の実施形態では、本教示のアバットメントは、根尖側方向において１つまたは複数の保持溝に隣接しており、アバットメントによって支持される構成要素の根尖側端部とのフィニッシュライン面（ｆｉｎｉｓｈ  ｌｉｎｅ  ｓｕｒｆａｃｅ）を形成するように構成される肩部分を有することができる。
【００３２】
例えばインプラントの一部分とではなく、構成要素とアバットメントとの固定（保持）係合を実現することにより、患者の口の中で係合させる方式でコーピングを配置することが容易になる場合がある。例えば、保持機構を担持するアバットメントの部分は全体として歯肉線に対してインプラントより上に位置されることから（少なくとも一部の事例では、歯肉線の上方にある）、構成要素を本教示によるアバットメントに係合させることがより容易になる場合がある。というのは、構成要素上の１つまたは複数の突起フィーチャとアバットメント上の１つまたは複数の保持溝との間で保持係合（例えば、スナップフィット係合であってよい）を実現するために構成要素を拡張させる間に歯肉組織を邪魔にならないように押し出す必要がほぼないためである。さらに、構成要素をアバットメントに係合させる間に触感および／または聴覚による感覚が鈍るのを最小することができ、それにより、構成要素が正確に固定されたということを確認することが促進される。本教示の種々の例示の実施形態による構成要素およびアバットメントの構成はまた、コーピングをアバットメントに固定するときに接着材料（例えば、セメント）をほとんど必要としなくてよい。例えば、これらの構造体と種々の例示の実施形態によるアバットメントとの間での機械的な対合係合（例えば、スナップフィット係合）に依存することにより、セメントなどの追加の接着材料または別の接着剤を必要とすることなく、一時的コーピングおよび／またはフレームワークを十分に保持することを実現することが可能となる場合がある。
【００３３】
さらに、セメントを使用することが所望される可能性がある場合、アバットメントと実質的に同じ大きさを有する例示の実施形態によるアナログから得られるリストレーションの全体の大きさが縮小されることから、より少ないセメントを使用することが可能となる場合がある。
【００３４】
本教示は、加えて、アバットメントの大きさと実質的に同じ大きさの構成を有し、さらに、永久的リストレーションのための鋳造金属のフレームワークを最終的に形成するのに使用されるバーンアウトコーピング上の１つまたは複数の突起フィーチャに係合されるように構成され得てアバットメント上の溝を模造する１つまたは複数の保持溝を含む、歯科技工所で使用されるアナログを企図する。
【００３５】
本明細書の一部として同封される図面には、本明細書において本教示または本発明の範囲を限定することを意図しない種々の寸法、公差、および／または、別の仕様が含まれる。むしろ、図面に示される寸法、公差、および／または別の仕様は、図示される種々の構成要素の例示の実施形態を代表している。これらの寸法、公差、および／または別の仕様に対する修正が、本教示の範囲から逸脱することなく本教示に従って所望される通りになされ得ることを、当業者であれば理解するであろう。
【００３６】
本明細書での参照を容易にするために、本明細書では、アバットメントに対しておよびデンタルインプラントに対して固定するための永久的リストレーションを形成するのに使用される単一のフレームワークを説明して示す。しかし、本教示が、「フレームワーク」という用語が、患者の口の中の複数のインプラントに対して固定されるように構成された複数のリストレーションを形成するために複数の（一般に２つ）単一フレームワークがそれにより一体に接続されるフレームワークも含む、ことを企図することを理解されたい。当業者であればこのような複数のリストレーションのフレームワーク構造を形成することに精通しており、このようなフレームワークに適用させるために本教示をいかにして修正するかを理解するであろう。
【００３７】
本明細書で使用される場合、当業者であれば「根尖側」および「歯冠側」という用語の意味に精通している。本明細書で使用される「根尖側」は、顎骨に向かうまたは歯の根先端に向かう方向を意味する。「根尖側」という用語が構成要素の部分を示すのに使用される場合、それは、構成要素が患者の口の中の処置位置に配置されているときの、顎骨および／または根先端に向いている、近接する、および／またはそれらの方向にある構成要素の部分を指す。「歯冠側」という用語は、顎骨の反対の、歯の歯冠に向かう方向を指す。「歯冠側」という用語が構成要素の部分を示すのに使用される場合、それは、構成要素が患者の口の中の処置位置に配置されているときの、歯の歯冠部分に向く、近接する、および／またはその方向にある構成要素の部分を指していてよい。
【００３８】
ここで図１を参照すると、デンタルインプラントと共に使用されるアバットメント１００の例示の一実施形態が示されている。アバットメント１００は、インプラントに係合されるインプラント端部（根尖側端部）１８０と、後でより詳細に記載されるアバットメントに固定されるように構成されるリストレーションおよび／または別の構成要素を受ける歯冠側端部１９０とを含む。アバットメント１００は、根尖側端部１８０を含みさらにデンタルインプラントの内側表面上の補助ねじ切り部に係合されるように構成されたねじ切り部１１０を有する、インプラントに係合されるポスト（以下、インプラント係合ポスト）１８５をさらに含んでいてよい。
【００３９】
それに係合されるようにアバットメント１００が構成されるインプラント１０００の例示の一実施形態が図１８〜２０に示されている。図２１は、インプラント１０００に固定対合係合された状態のアバットメント１００の長手方向断面図を示している。図１９の例示の実施形態に示されるように、インプラント１０００は内部ねじ切り部１０１０を有していてよい。ねじ切り部１０１０は、アバットメント１００のねじ切り部１１０に係合されるように構成されていてよい。図１８〜２０の例示の実施形態では、インプラント１０００はシングル−ステージインプラントとして構成されていてよく、それにより、歯冠側首部１０６０が移植されるときに骨の上方に位置されるようになる。インプラント１００は、歯冠側首部１０６０に隣接してかつそれに対して冠状に位置される肩部分１０５０を含む。歯冠側首部直径ＤCNは、歯冠側首部１０６０が肩部１０５０に接触する箇所で画定される。本教示の種々の例示の実施形態によるアバットメント（例えば、アバットメント１００）は、インプラント１０００に対合係合された状態で固定されており、アバットメントに固定される構成要素のフィニッシュライン（すなわち、構成要素の根尖側端部が位置される箇所）は、インプラント１０００の肩部１０５０のところに位置されてよい。
【００４０】
図１〜５を再び参照すると、アバットメント１００の歯冠側端部１９０が、後でより詳細に説明されるようにアバットメント１００をインプラント１０００内へと前進させるのに使用されるスクリュドライバまたは別の工具を受けるように構成される、図３および４により詳細に示されている凹部１１５を含む。
【００４１】
ねじ切り部１１０がアバットメント１００の例示の実施形態に示されているが、ねじ切り部の代わりにまたはそれに加えて、種々の別の係合機構がアバットメントのポスト１８５をデンタルインプラントに係合させるのに使用されてもよいことを、当業者であれば理解するであろう。例えば、ねじ切り部以外では、インプラント内の対応する開口部内で受けられるねじ切りされていないインプラント係合ポストが使用されてもよく、アバットメントはインプラントに固定係合されるように雌ねじがつけられている。例えば、このようなポストは、例えば、テーパがつけられて、インプラント内の同様にテーパがつけられた開口部内に嵌合されるように構成されることにより、または、断面が多角形（例えば、六角形または八角形）でありかつインプラント内の同様の形の開口部内に嵌合されるように構成された側面を有することにより、またはそれらの組み合わせにより、アバットメントとインプラントとの非回転の固定係合を実現することができる。当業者であれば、例えば、内側または外側が多角形である種々の非回転表面、テーパがつけられた表面、丸い突出部のあるチャネル、および／またはそれらの組み合わせを含めた、アバットメントをインプラントに固定するのに使用され得る種々のタイプの係合機構に精通しているであろう。したがって、係合機構のタイプによっては、スクリュドライバまたは別の工具を受けるための開口部１１５は必要ない場合もある。
【００４２】
図２に示されるように、アバットメント１００は、インプラント係合ポスト１８５から、根尖側端部１８０から測定してアバットメント１００の長さＬの約３分の２にあたるほぼ中間の位置まで延在する実質的にフラストロ形円錐部分（ｆｒｕｓｔｒｏ−ｃｏｎｉｃａｌ  ｐｏｒｔｉｏｎ）１４０を画定している。アバットメント１００のフラストロ形円錐部分１４０は角度αでテーパがつけられている円周外側表面を有する。フラストロ形円錐部分１４０は肩部１３０を画定しており、ここでフラストロ形円錐部分１４０がポスト１８５に接触する。
【００４３】
フラストロ形円錐部分１４０は、インプラント上の内側フラストロ形円錐部分シート領域、例えば図１９の領域１０４０に係合されるように構成されていてよい。種々の例示の実施形態では、フラストロ形円錐部分１４０の周囲表面の角度αは、アバットメント１００を受けるインプラントの歯冠側首部のテーパがつけられた内側表面（すなわち、図１９のシート領域１０４０）に一致するように構成される。アバットメントが対合されるインプラントの歯冠側首部のところの内側表面部分のテーパ角に実質的に一致していてよい角度であるこのようなテーパをアバットメント上に設けることにより（例えば、図１９の例示のインプラントに示される角度γなど）、アバットメントとインプラントの間で実質的に同一平面の対合係合を形成することができるようになり、インプラント上のアバットメントの嵌合および適切な設置の精度を向上させることができる。種々の例示の実施形態では、フラストロ形円錐部分１４０は、モース（Ｍｏｒｓｅ）テーパと同様に構成されていてもよく（テーパ角が異なっていてもよい）、それにより、インプラントの歯冠側首部部分内に設置されて咬合荷重（噛むときの荷重）を受けてもアバットメント１００が回転しないようにすることができる。すなわち、アバットメントを緩めるためにアバットメントのねじを緩めるときの力は、アバットメントをインプラントに固定するときの力より大きい。インプラントの歯冠側首部に係合されるテーパがつけられたフラストロ形円錐部分１４０を設けることの代わりにまたはそれに加えて、部分１４０は、インプラントの対応する多角形の内側の歯冠側首部表面に対合される多角形（例えば、六角形または八角形）の周囲表面を有してもよい。
【００４４】
種々の例示の実施形態では、フラストロ形円錐部分１４０の周囲表面のテーパの角度αは、約１．５°から約１５°の範囲、例えば約５°から約１０°であってよい。例えば、アバットメント１００がそれと係合するように構成され得る種々のインプラントは、例えば約１．５°から約１５°の範囲の内側のテーパ角γを有する内側のフラストロ形円錐形の歯冠側首部開口部（例えば、シート領域１０４０）を有していてよい。例えば、それぞれ、テーパ角は、約１．５°、約５．８°、約８°、約１１°または約１５°であってよく、したがって、角度αは、約１．５°、約５．８°、約８°、約１１°または約１５°であってよい。
【００４５】
やはり図２の例示の実施形態に示されるように、アバットメント１００は、歯冠側端部１９０から根尖側端部１８０までのアバットメント１００の長さＬの３分の２のほぼ中間の長さから延在する構成要素支持部分１５０を含む。構成要素支持部分１５０は、端部１９０に向かって内側にテーパがつけられた周囲表面を有することができる。図１および５で最もよく見られるように、部分１５０はまた、それらが係合されているときにリストレーションおよび／または別の構成要素とアバットメント１００とが相対的に回転するのを防止するのを補助するように構成された平坦表面部分１２０を含んでいてよい。種々の例示の実施形態では、アバットメントの平坦表面部分は、アバットメントの中心線から約０．０３インチ（０．７６ｍｍ）から０．０６５インチ（１．６５ｍｍ）の範囲の距離のところに配置されてよく、例えば、平坦表面部分の、アバットメントの中心線までの距離は約０．０４９２インチ（１．２５ｍｍ）であってよい。
【００４６】
アバットメント１００の例示の実施形態はまた、図３〜５で最もよく示されるように、平坦表面部分１２０の実質的に反対側にあり、歯冠側端部１９０からアバットメント長手方向に沿った方向に延在する、外側表面部分上の長手方向溝１３５を含むことができる。後でさらに説明するように、溝１３５は、アバットメント１００の実質的に長手方向に沿った方向に延在し、インプラントに係合させるためにアバットメント１００にトルクを与えるのに使用される工具のための握持領域を有する。
【００４７】
上述したように、種々の例示の実施形態では、部分１５０は、例えば約４°から約８°の範囲で、例えば約５．５°から約６．５°の角度βでテーパがつけられていてよく（図２を参照）、例えば、角度βは約６°であってよい。
【００４８】
アバットメント１００の構成要素支持部分１５０の外側周囲表面の周りには、アバットメント１００の長手方向軸に対して実質的に横断する方向に延在する保持溝１２５がある。より具体的には、図１〜５に示されるように、アバットメント１００の例示の実施形態では、保持溝１２５は、フラストロ形円錐部分１４０と構成要素支持部分１５０とが実質的に接触する箇所であるアバットメント１００の最も広い断面部分（図２ではＤa）のところに位置されるすなわちそれに対して直接に冠状に位置されてよい。保持溝１２５は、アバットメント上の構成要素を（例えば、スナップフィット係合を介して）機械的に保持するために、構成要素上の１つまたは複数の突起フィーチャに係合されるように構成されていてよい。これらの構成要素には、限定しないが、例えば、後でより詳細に説明される例示の実施形態である、印象コーピング、一時的コーピング、および／または、永久的リストレーションのためのフレームワークが含まれてよい。種々の例示の実施形態では、例えば保持溝１２５などの１つまたは複数の保持溝が、アバットメント１００がインプラントに係合されてインプラント内に完全に挿入されて処置位置内にある場合に歯冠側方向においてインプラントのすぐ上方に位置される部分１５０の長手方向に沿って位置されてよい。例えば、図２の例示の実施形態では、保持溝１２５は、インプラント端部１８０からのアバットメント１００の距離Ｌに沿った３分の２にあたるほぼ中間に位置されてよい。例示の実施形態では、１つまたは複数の保持溝は、インプラント／アバットメントの接合部（例えば、図２１ではＭで表示される）から、約０．０２５インチ（０．６４ｍｍ）から約０．１１９インチ（３．０２ｍｍ）のところに位置されてよく、この接合部は図２のＤaのところにほぼ一致していてよい。
【００４９】
種々の例示の実施形態では、保持溝１２５はラジアス形表面形状を有していてよい。保持溝１２５の表面は、例えば、約０．０１０インチ（０．２５ｍｍ）から約０．０６０インチ（１．５２ｍｍ）の範囲の曲率半径を画定してよい。図１〜５の例示の実施形態の保持溝１２５は、アバットメント１００の外側周囲表面の周りを約２７０°延在しており、例えば、平坦部分１２０を除いて、アバットメント１００の周囲全体の周りをほぼ延在している。種々の例示の実施形態では、このような保持溝は、約０．０１５インチ（０．３８ｍｍ）から約０．０４０インチ（１．０２ｍｍ）の範囲、例えば約０．０２１インチ（０．５３ｍｍ）の高さｈg（アバットメント１００の長手方向軸に沿って測定）を有していてよい。例示の実施形態では、保持溝１２５は、約０．００１インチ（０．０２５ｍｍ）から約０．００６インチ（０．１５ｍｍ）の範囲、例えば０．００３インチ（０．０７６ｍｍ）の深さで機械加工されてよい。
【００５０】
上述したように、アバットメントの平坦表面部分１２０は、アバットメントの中心線から約０．０３インチ（０．７６ｍｍ）から約０．０６５インチ（１．６５ｍｍ）であってよい。しかし、この距離は変更されてよく、アバットメントの大きさに応じて、例えば構成要素支持部分１５０の直径に応じて選択されてよい。例えば、平坦表面部分１２０の、アバットメント１００の中心線までの距離は、構成要素支持部分の対応する軸方向位置のところの半径の約６５％から約８０％、例えば約７２％であってよい。単に非限定の例では、４．１ｍｍ（０．１６１インチ）の歯冠側首部直径（すなわち、図１８および１９に示される直径ＤCN）を有するインプラントに対合されるように構成されたアバットメントの場合、平坦表面部分１２０はアバットメントの中心線から約０．０３６６インチ（０．９３ｍｍ）であってよい。４．８ｍｍ（０．０１８９インチ）の歯冠側首部直径ＤCNを有するインプラントに対合されるように構成されたアバットメントの場合、平坦表面部分１２０はアバットメントの中心線から約０．０６５インチ（１．６５ｍｍ）であってよい。さらに、６．５ｍｍ（０．２５６インチ）の歯冠側首部直径ＤCNを有するインプラントに対合されるように構成されたアバットメントの場合、平坦表面部分１２０はアバットメントの中心線から約０．０６０インチ（１．５２ｍｍ）であってよい。
【００５１】
図１〜５の例示の実施形態は単一の保持溝１２５を示しているが、溝ではない部分によって分離される２つ以上の保持溝が、アバットメントの長手方向に沿った実質的に同じ軸方向位置において、アバットメントの部分１５０の外側周囲表面の周りに設けられ、コーピング（または、別の構成要素）上の１つまたは複数の突起部がスナップフィット形式でそれらに係合されるのを可能にするように配置され得ることを、当業者であれば理解するであろう。さらに、外側周囲表面の全体または一部の周りを延在するものではない、種々の例示の実施形態による保持溝が、アバットメントとのスナップフィット係合を形成するためにデンタルインプラントシステムと共に使用されるコーピングまたは別の構成要素の上の１つまたは複数の突起フィーチャに係合されるように構成された、刻みつきの比較的局部的なラジアス形の構成を形成してもよい。
【００５２】
種々の例示の実施形態では、アバットメントが患者の口の中のインプラントに対して定位置に位置されている場合、アバットメントの外側周囲表面上に設けられた１つまたは複数の保持溝は、歯肉線のすぐ上方からまたは歯肉線のところからまたは歯肉線のすぐ下方から到達可能となるように位置され得る。保持溝（複数可）をこのように位置決めすることで、例えば、係合の際に組織を邪魔にならないように押すのを容易にすることによりおよび／または知覚（例えば、触感および／または聴覚による感覚）を受けて１つまたは複数の突起部と保持溝との間でのスナップフィット係合を確認することを容易にすることにより、コーピングまたはフレームワーク上の対応する突起部との係合が容易になる。また、組織境界に接近させて配置させることで、より広い保持表面積を有するアバットメントのより広い部分のところにおいて保持を実現することにより、アバットメント上における構成要素の装着の安定性を向上させることができる（例えば、保持溝は、アバットメントの最も広い部分に接近してまたはその最も広い部分のところに配置される場合に比較的広い表面積を有する）。同様に、例えばセメントまたは別の接着剤により構成要素をアバットメントに接着することが所望される場合、アバットメントのより広い部分上のより広い表面積により、より安定した接着が促進される。歯肉線のところまたは歯肉線の下方に位置されるように構成されたアバットメントの場合、１つまたは複数の保持溝を、溝１２５が配置されているところよりも、アバットメントの歯冠側端部にある程度接近させて位置させることが所望される場合がある。
【００５３】
種々の例示の実施形態によると、構成要素支持部分１５０は、約４ｍｍ（０．１５７インチ）から約７ｍｍ（０．２７６インチ）の範囲、例えば約４ｍｍ、約５．５ｍｍ（０．２１６インチ）または約７ｍｍの長さを有することができる。同様に、本教示の種々の例示の実施形態によるアバットメントは、アバットメント１００がほぼインプラントの肩部の位置においてインプラントに対合される箇所（例えば、図２１に示される位置Ｍ）である種々の直径（図２のＤa）を有することができ、それにより、例えば、約４．１ｍｍ、約４．８ｍｍまたは約６．５ｍｍの歯冠側首部直径ＤCNなどの種々の歯冠側首部直径を有するインプラントに対合されるように構成され得るようになる。種々の例示の実施形態では、直径Ｄaは、約４．１ｍｍ、約４．８ｍｍまたは約６．５ｍｍのそれぞれの歯冠側首部直径に係合されるために、それぞれ、約２．７ｍｍ（０．１０６インチ）、３．５ｍｍ（０．１３８インチ）または４．３ｍｍ（０．１６９インチ）であってよい。
【００５４】
しかし、種々のインプラント構成、コーピング構成、フレームワーク構成に対合され得るようになるために、ならびに／または、所望時に特定の患者および／もしくは必要性を満足させるために、アバットメントおよびそれらに対応する部分の寸法が本教示に従って修正されてよく、本明細書に記載される寸法が限定するものではなく単に例示であることを、当業者であれば理解するであろう。例えば、当業者が精通する種々の内側円錐テーパ形インプラント構成に対合されるように、アバットメントの寸法が様々に選択されることを、当業者であれば容易に認識しているであろう。
【００５５】
例示の実施形態では、アバットメント１００は、例えば、１つまたは複数の保持溝、テーパがつけられた部分などを含めた、アバットメントの種々の特徴に精密な公差をもたらすように機械加工され得、それにより、アバットメントに固定されるように構成されたインプラントおよび／または別の構成要素に正確かつ精密に確実に対合され得るようになる。例示の実施形態では、アバットメントは、冷間加工された市販されている純粋なグレード４のチタンもしくは別の医療グレードのチタンまたはチタン合金から作られてよい。しかし、例えば種々の生体適合性チタン材料などの、十分な強度および耐久性を有する任意の生体適合性材料が、本教示の種々の例示の実施形態によるアバットメントを作るのに使用されてよい。アバットメントに放射線不透過物質を使用することにより十分な強度をもたらすことができるが、例えば、咬合荷重に耐えるように、さらにはＸ線観測を可能にするために、例えば、セラミックおよびジルコニウムを含む複合材料、チタンおよびジルコニウムを含む複合材料、および、別のジルコニウム複合材料または合金を含めた、別の材料が適する場合もある。
【００５６】
上述したように、図１〜５の例示の実施形態などの、種々の例示の実施形態によるアバットメントは、インプラント内でねじ込み式に保持されるように構成されてよく、したがって、インプラント内へとトルクを与えられるように構成されてよい。例えば、アバットメントは、約２５ニュートン−センチメートル（Ｎ−ｃｍ）から約５０Ｎ−ｃｍの範囲、例えば、約３０Ｎ−ｃｍから約３５Ｎ−ｃｍのトルクが与えられるように構成されてよい。上述したように、アバットメント１００は、例えば、標準的な０．０４８インチ（１．２ｍｍ）または０．０３５インチ（０．８９ｍｍ）のヘックススクリュドライバ、４−ローブ（４−ｌｏｂｅ）、または標準的なトルクスドライバなどの、凹部１１５内で受けられるスクリュドライバを介してトルクが与えられ得る。
【００５７】
凹部１１５および溝１３５は、スクリュドライバ、トルクスドライバ、または別の工具が十分なトルクでアバットメント１００をインプラント内へと前進させるためにアバットメント１００を握持することを可能とするのに有用である２つの対合構成を形成するように構成されてよい。凹部１１５は、例えば約０．０３０インチ（０．７６ｍｍ）から約０．１２インチ（３．０５ｍｍ）の範囲の距離でアバットメント１００の長手方向に貫入していてよい。例えば、４．１ｍｍまたは４．８ｍｍの歯冠側首部直径（図１９のＤCN）のインプラントに対合されるように構成されたアバットメントの場合、凹部１１５は、約０．０３０インチ（０．７６ｍｍ）から約０．０７５インチ（１．９ｍｍ）の範囲の距離でアバットメント１００の長手方向に貫入していてよく、６．５ｍｍの歯冠側首部直径のインプラントに対合されるように構成されたアバットメントの場合、この距離は約０．０６５インチ（１．６５ｍｍ）から約０．１２インチ（３．０５ｍｍ）の範囲であってよい。図３および４に示されるように、凹部１１５は、ヘックススクリュドライバを受けるように構成された実質的に六角形の周囲部を有することができる。
【００５８】
種々の例示の実施形態では、例えばインプラント上ではなく、アバットメント上に１つまたは複数の保持溝を配置することにより、アバットメントおよびインプラントに対して対合構成要素を正確に設置することを実現する能力を有さずに、アバットメントをインプラントに固定するために比較的広い範囲のトルクを使用することが可能となる。
【００５９】
種々の例示の実施形態では、本教示はまた、それに固定される種々の構成要素（例えば、印象コーピング、一時的コーピング、および／またはフレームワーク）を保持することを実現するために１つまたは複数の突起フィーチャに（例えば、スナップフィット係合を介して）対合されるように構成される１つまたは複数の溝を有する角度つきアバットメントを企図する。当業者は、角度つきアバットメント、および、図３９に示される本教示による溝付きの角度つきアバットメント３９００の例示の一実施形態に精通する。図３９では、アバットメント３９００は、インプラント４００に対して定位置に固定されて示されている。構成要素支持部分３９５０は、インプラント４０００の長手方向軸に対して（すなわち、図３９の図では垂直方向から）ある角度のところに配置されており、この角度は、種々の例示の実施形態では、約１５°から約３０°の範囲であってよく、例えば、構成要素支持部分３９５０は、垂直方向から約１５°の角度のところまたは例えば約２０°の角度のところにあってよい。本明細書に記載される別の例示の実施形態では、アバットメント３９００は、アバットメント３９００がインプラント４０００に接触する箇所に近接する部分３９５０上に保持溝３９２５を有する。保持溝３９２５の寸法および配置は、別の例示のアバットメントの実施形態を参照して上述した寸法および配置と実質的に同じであってよい。図３９の例示の実施形態では、アバットメント３９００は、平坦表面部分を含まない実質的にフラストロ形円錐形状であり、溝３９２５が部分３９５０の周囲部の周りを３６０°で延在する。上述した別の実施形態と同様に、保持溝３９２５が周囲部の周りを３６０°未満で延在してよいこと、および／または、２つ以上の溝３９２５が、実質的に同一の軸平面内で周囲部の周りにおいて互いに離間されて設けられてよいことを、当業者であれば認識するであろう。アバットメント３９００はまた、アバットメントをインプラントに対してねじ込み式に保持するためのねじを受けるように構成された開口部３９０１を含んでいてよい。角度つきアバットメント３９００の種々の別の特徴は、図１〜５を参照して上述した特徴に類似していてよい。
【００６０】
本教示によるアバットメントの種々の例示の実施形態はまた、形成されてそれに係合されるリストレーションをカスタムプラットフォームサイジング（ｃｕｓｔｏｍ  ｐｌａｔｆｏｒｍ  ｓｉｚｉｎｇ）することを可能にする。すなわち、リストレーションを作る際、アバットメントにスナップフィット係合されて配置されている場合にリストレーションのインプラントの肩部に接触するリストレーションの根尖側端部の外径は、歯冠側首部直径未満であるまたは最大でも歯冠側首部直径を含めた直径の範囲から選択されてよい。単に非限定の例では、４．１ｍｍの歯冠側首部直径のインプラントおよびそれに対合されるように構成されたアバットメントの場合、構成要素の根尖側端部の外径は約３．２ｍｍ（０．１２６インチ）から約４．１ｍｍの範囲、例えば約４．１ｍｍであってよい。４．８ｍｍのインプラントおよびそれに対合されるように構成されたアバットメントの場合、構成要素の根尖側端部の外径は４．１ｍｍから約４．８ｍｍの範囲であってよく、６．５ｍｍのインプラントおよびそれに対合されるように構成されたアバットメントの場合、構成要素の根尖側端部の外径は、例えば、約５．４ｍｍ（０．２１３インチ）から約６．５ｍｍの範囲であってよい。このカスタムプラットフォームサイジングの能力により、リストレーションを作るときに柔軟性がもたらされる。さらに、カスタムプラットフォームサイジングを可能にするこの能力により、クレスタル骨（ｃｒｅｓｔａｌ  ｂｏｎｅ）の維持につながる場合がある。
【００６１】
アバットメントとインプラント構成要素（例えば、コーピング）との間に保持機構を設けることを組み合わせることにより、構成要素の根尖側端部とインプラントの肩部とのフィニッシュラインを維持しながら、上述したようなプラットフォームサイジング（ｐｌａｔｆｏｒｍ  ｓｉｚｉｎｇ）を達成する能力が向上する。これは、アバットメントに対する構成要素の保持機構に影響を与えることなく根尖側端部に対して修正がなされ得るからである（例えば、プラットフォームサイジングを行うときに直径が変化する）。インプラントの肩部と構成要素との間に保持機構を使用する従来のシステムでは、肩部上の保持機構および構成要素の位置も変える必要があることから、このようなサイジングが実用的（可能）になることはない。
【００６２】
次に図６〜１７および図２２Ａ〜２２Ｂを参照すると、印象コーピングの例示の実施形態、および、本教示の種々の例示の実施形態によるアバットメントと共に使用され得るその部品が示されている。図６は、印象コーピング６００の例示の実施形態の側面図を示している。図７は、図６の線７−７に沿った印象コーピング６００の断面図であり、図８は、図６の印象コーピング６００の歯冠側端部から見た端面図である。図７で最もよく示されるように、印象コーピング６００は、一体の構造物を形成するために互いに係合されるように構成された挿入部６１０とハウジング６２０とを有する２部品からなる装置であってよい。図９〜１３は挿入部６１０の種々の図を示しており、図１４〜１７はハウジング６２０の種々の図を示している。図２２Ａおよび２２Ｂは、アバットメント１００およびインプラント１０００に係合された印象コーピング６００の長手方向の断面図（それぞれの平面は互いに垂直である）を示している。
【００６３】
印象コーピング６００の２部品からなる構成は、印象コーピング６００（すなわち、挿入部６１０およびハウジング６２０）を金属を含む材料から作るのを可能にするのに所望される場合がある。このようにして、印象コーピング６００は、例えばアバットメント１００などのアバットメントと精密な対合および正確な嵌合をなすように構成された突起フィーチャおよび／または別の内部フィーチャを限定しないが例えば含む、印象コーピングの種々の特徴の比較的高精度の公差を得るために（機械加工の場合より最大で約１０分の１の精度の公差を有する場合がある射出成形を介して得られるような公差と比較して）、（例えば、射出成形を介して）成形されるのではなく、機械加工されてよい。したがって、種々の例示の実施形態では、本教示は、例えば、金属、金属合金、および／または、プラスチックと金属とを含む合成物などの、金属を含む材料から作られる印象コーピングを企図する。また、このような材料から作られる印象コーピングを用意することにより、印象コーピングが放射線不透過性になり、Ｘ線で観察できるようになり、患者の口の中でのインプラントの位置および状況を正確に指示するのを実現する能力を促進することができる。
【００６４】
図６〜１３を参照すると、挿入部６１０はハウジング６２０内で受けられるように構成されており、挿入部６１０の印象部分６１１がハウジング６２０から延在しており、挿入部６１０の、アバットメントに係合される部分（以下、アバットメント係合部分）６１２がハウジング６１０内に受けられる。印象部分６１１は、印象コーピング６００が患者の口の中の例えばアバットメント１００などのアバットメントに係合されて配置されている場合に、印象材の中に挿入されるように構成される。印象部分６１１は実質的に鋸歯状の表面形状を有していてよく、その結果、印象コーピング６００が、例えば印象トレイ内で印象コンパウンドによって十分に把持され得るようになり、患者の口からトレイを取り外して、印象コーピング６００を取り外すことが容易になる。言い換えると、コーピング６００は、当業者であれば精通しているいわゆる「ピックアップコーピング」として構成されてよい。すなわち、印象コーピング６００は、印象がとられるときにほとんど動くことなくアバットメント１００と比較的安定して係合されるように構成され得、一方でさらに、印象材が印象コーピング６００の周りに形成されて患者の口の中でアバットメントおよびインプラントの位置の印象がとられた後で、印象コーピング６００をアバットメントから離れる実質的に垂直な方向に持ち上げることによって加えられる十分な力を受けて比較的容易にアバットメントから外され得る。
【００６５】
図４０に示される代替の例示の実施形態では、印象コーピングの印象部分は、挿入部の上ではなくハウジングの上に設けられてよい。したがって、図４０の例示の実施形態では、印象コーピング４６００のハウジング４６２０は、４６１１で示される鋸歯状の外側表面形状を含む。印象の表面形状は、例えば、ハウジング４６２０の一部分として機械加工され得る。図４０の例示の実施形態において、印象部分４６１１をハウジング４６２０の一部分として形成することにより、印象コーピング４６００の全長を短縮することが可能となる場合があり、それにより、患者の口の中の印象コーピング４６００を用いて患者に対して咬翼の位置合わせ（ｂｉｔｅｗｉｎｇ  ｒｅｇｉｓｔｒａｔｉｏｎ）を実行する能力が促進される。図４０の印象コーピングの別の部分は印象コーピング６００と同じであってよく、したがって説明されず、符号もつけない。
【００６６】
種々の例示の実施形態では、挿入部６１０の、アバットメントに対合される部分６１２は、アバットメントが印象コーピング６００と同一平面で対合係合されるように中で受けられるのを可能にするために（図２２Ａおよび２２Ｂを参照）、アバットメントの構成要素指示部分の寸法およびテーパに実質的に一致するような寸法およびテーパを有する内側表面（例えば、図１１および２２Ａで最もよく示される内側表面６１３）を有していてよい。例えば、内側表面６１３のテーパは、アバットメント１００の部分１５０のテーパに実質的に一致していてよい。非限定の例では、挿入部６１０の内側表面部分６１３は、図１１に示されるように、コーピング６００の印象端部に向かって角度εでテーパがつけられていてよい。例えば、このテーパは、約４°から約８°からの範囲の、例えば約５．５°から約６．５°、例えば約６°の角度εであってよい。
【００６７】
図７、１０および１３で最もよく見られるように、印象部分６１１の反対側において、挿入部６１０の端部に近接する挿入部６１０の側表面上に、少なくとも１つの保持機能６１５が配置されてよい。保持機能６１５は、突出する内側表面部分（図７、１６および１７では６２２）を受けるように構成された、挿入部６１０に設けられた開口部６１７の実質的に反対側に配置されてよく、この表面部分は、アバットメントの構成要素指示部分上の平坦表面部分（例えば、平坦表面部分１２２）に対して同一平面で位置されるように構成されており、それにより、アバットメントに対してコーピングを正確に位置決めすること、さらには、アバットメントに対して印象コーピングが回転するのを防止または阻害することが補助される。少なくとも１つの保持特徴６１５は、ハウジング６２０の内側表面上の対応する開口部６２５（図１４および１６に示される）に係合されるように構成されていてよい。種々の例示の実施形態では、例えば、図７および１０に示されるように、保持機能６１５は、挿入部６１０の根尖側端部に近接する部分６１２の側壁の概略Ｕ形の切欠きによって形成されてよい。保持機能６１５は、ハウジングの壁の厚さを貫通することなくハウジング６１０の内側表面内に形成され得る開口部６２５内に受けられるように構成されていてよい。保持機能６１５が開口部６２５内に受けられると、挿入部６１０およびハウジング６２０が対合係合され、ここでは、これらは回転したり互いに対して軸方向に移動したりすることが実質的に防止される。
【００６８】
保持機能６１５は、径方向（例えば、挿入部６１０の長手方向軸に向かうまたはそこから離れる）に弾性的に撓み可能であるように構成されていてよく、挿入部６１０の長手方向軸に向かう方向にわずかに付勢され得る。このようにして、任意の特定の理論に縛られるのを望むものではないが、印象コーピング６００がそれに対して固定されてアバットメントの平坦表面部分（例えば、平坦表面部分１２２）をハウジング６２０の表面部分６２２に対して押圧すると、保持機能６１５がアバットメントに対して弾性的に押圧され得、それにより、印象をとるときに印象コーピング６００がアバットメントに対して回転するのを防止することが補助される。種々の代替の例示の実施形態（図示せず）では、印象コーピングの挿入部６１０は、保持機能６１５、および、対応する開口部６２５を有さないハウジング６２０を用いずに、設けられてもよい。このような構成では、挿入部６１０およびハウジング６２０は、これらの部品の間の締まり嵌めによって一体に保持されてよい。
【００６９】
次に図９〜１２を参照すると、挿入部６１０はまた、１つまたは複数の撓みタブ６１６（図９〜１２の例示の実施形態では、２つのこのようなタブ６１６が示されている）を含んでいてよく、これは、アバットメント係合部分６１２の自由端部のところで実質的にＵ形のスロットとして構成される例えば機械加工された切欠きなどの切欠きによって形成されてよい。撓みタブ６１６は、例示の実施形態では、本教示の例示の実施形態によるアバットメント上の１つまたは複数の保持溝に、例えば図２２Ａに示されるアバットメント１００上の溝１２５に対合されるように構成される、内部表面上の実質的に半球であってよい局部的な突起部６１６ａを有していてよい。このようにして、印象コーピング６００は、突起部６１６ａと保持溝１２５との確実な対合係合（例えば、スナップフィット係合であってよい）を介して、アバットメント１００によって係合されて保持され得る。このようにして、印象コーピング６００とアバットメント１００との間の正確かつ確実な嵌合が実現され得る。また、１つまたは複数の突起部６１６ａと保持溝１２５との係合により、スナップフィットによる固定から触感および／または聴覚による感覚を得ることができ、それにより使用者が正確な係合がなされたという確信を得ることができる。特に金属を含む材料で作られている場合のタブ６１６の弾性的な撓み能力により、タブ６１６が、保持溝１２５のすぐ上方でアバットメント１００の比較的広い領域の部分１５０の上で前進させられて保持溝１２５に到達して定位置に「スプリング」バックすることにより、触感および／または聴覚による感覚を強めることができる。
【００７０】
種々の例示の実施形態では、突起部６１６ａと保持溝１２５との係合は、患者の口から印象トレイを取り外すときに印象コンパウンドで「ピックアップ」（例えば、アバットメントから離れるように印象コーピングを持ち上げるための十分な垂直力を加えることによって）が行われる際に印象コーピング６００が比較的容易に外されてアバットメントから取り外され得るように、なされてよい。Ｕ形開口部が各タブ６１６を囲んでいるようなタブ６１６の構成により、タブ６１６がある程度実質的に径方向に弾性的に撓むことが可能になり、突起部６１６ａをアバットメント上の保持溝に係合させることが容易になり、アバットメント上でのコーピング６００の保持が達成される。
【００７１】
印象コーピング６００の例示の実施形態では、突起部６１６ａを備えるタブ６１６が保持機能６１５から約９０°離れて実質的に互いに反対側に配置される。しかし、１つまたは複数の範囲の、突起部６１６ａを担持する任意の数のタブ６１６が挿入部６１０の周りに所望される通りに設けられて配置されてよく、それにより、アバットメント上に設けられる１つまたは複数の対応する保持溝との対合係合（例えば、スナップフィット係合）が形成され、本教示によるアバットメントを用いた印象コーピングの保持が実現されることを、当業者であれば認識するであろう。限定しないが、例えば、印象コーピングとアバットメントとの間の係合の所望される強度、印象コーピングのピックアップの所望される容易さ、アバットメント上に設けられる対合される保持溝の数および／または位置などの、種々の要因に基づいて、突起物を担持するこのようなタブの数および位置決めをいかにして選択するかを、当業者であれば理解するであろう。例示の一実施形態では、印象コーピング上の１つまたは複数の突起フィーチャをアバットメント上の１つまたは複数の保持溝に係合させる（例えば、印象コーピングをアバットメントにスナップ式に嵌めこむ）のに必要となる力は約０．５ｌｂ．（２．２Ｎ）から約５ｌｂ．（２２Ｎ）の範囲であってよく、印象コーピングをアバットメントから持ち上げて外すのに必要となる力は約０．５ｌｂ．（２．２Ｎ）から約６ｌｂ．（２７Ｎ）の範囲であってよい。
【００７２】
種々の例示の実施形態では、突起部６１６ａは挿入部６１０の内側を向いている凸面形状を有する。例示の実施形態では、各突起部６１６ａの曲率半径は、アバットメント上の保持溝（例えば、保持溝１２５）と対合係合を形成するように選択されてよい。例示の実施形態では、突起部６１６ａは、約０．０１５インチ（０．３８ｍｍ）から約０．０２５インチ（０．６４ｍｍ）の範囲、例えば約０．０２インチ（０．５１ｍｍ）の曲率半径を有していてよく、約０．００２インチ（０．０５１ｍｍ）から約０．００６インチ（０．１５ｍｍ）、例えば約０．００４インチ（０．１０２ｍｍ）だけタブ６１６の内側周囲表面部分から突出していてよい。印象コーピングの長手方向軸に沿った方向で測定される突起部６１６ａの高さは、それらの突起部がそれらに対合するように構成される対応する保持溝の高さ（例えば、高さｈg）と実質的に同じであってよい。種々の例示の実施形態では、突起部６１６ａの高さは約０．０１５インチ（０．３８ｍｍ）から約０．０４０インチ（１．０２ｍｍ）の範囲、例えば約０．０２１インチ（０．５３ｍｍ）であってよい。種々の例示の実施形態では、撓みタブ６１６上の突起部６１６ａは、約０．０００５インチ（０．０１３ｍｍ）から約０．００３インチ（０．０７６ｍｍ）の範囲、例えば約０．００１インチ（０．０２５ｍｍ）の、アバットメント上の保持溝（例えば、保持溝１２５）と干渉して拘止する状態（ｉｎｔｅｒｆｅｒｅｎｃｅ  ｇｒｉｐ）を形成するように構成されていてよい。
【００７３】
しかし、上の寸法は限定するものではなく単に例示であり、例えば、印象コーピング上の突起部とアバットメント上の１つまたは複数の保持溝とを係合させる際に十分な触感および／または聴覚による感覚を得ること、一方で印象がとられた後に印象コンパウンドトレイを用いてコーピングを比較的に容易に「ピックアップ」すること（例えば、アバットメントから取り外す）ことを依然として可能にしながら、印象をとる際に印象コーピングが動くのを最小にするために印象コーピング上の突起部とアバットメント上の１つまたは複数の保持溝との間で確実な対合係合を達成すること、および／または、寸法の選択に影響する可能性がある様々な他の要因、を例えば含み得る所望の結果を得るようにいかにして別の寸法が選択されるのかを、当業者であれば理解するであろう。また、突起部の寸法の選択は、これらの突起部が係合される１つまたは複数の保持溝の寸法に応じて決定されてもよい。
【００７４】
図６〜１７および２２Ａ〜２２Ｂの例示の実施形態では、アバットメント上の保持溝（複数可）に係合される突起部６１６ａがコーピング６００の挿入部６１０上に設けられるが、その代わりに、本教示の範囲から逸脱することなく、突起部がハウジング６２０の内側表面部分上に設けられてもよいことを当業者であれば理解するであろう。
【００７５】
図７、１４、１６および１７を参照すると、ハウジング６２０は、斜角つき根尖側端部領域６２８を有する実質的に中空の円筒として構成されていてよく、その外側表面は、ハウジング６２０の根尖側自由端部に向かって内側にテーパがつけられている。上述したように、ハウジング６２０は、ハウジング６２０の他の内側表面部分よりさらに内側に延在しさらに弓形ではなく実質的に平坦である表面を有する内側側表面部分６２２を含み得る。この内側表面部分６２２は、コーピング６００が係合されるアバットメントの平坦表面部分、例えばアバットメント１００上の平坦表面部分１２０などに当接されるように構成される。アバットメント１００に対してコーピング６００を位置合わせすること、および、コーピング６００およびアバットメント１００が相対的に回転するのを防止することは、ハウジング６２０上の内側表面部分６２２およびアバットメント１００上の平坦表面部分１２０（それらの対合接触が図２２Ｂに示されている）を使用することによって達成され得る。上述したように、図７および１３に最もよく示されるように、挿入部６１０およびハウジング６２０が互いに係合されている場合、内側表面部分６２２は開口部６１７内で受けられ得る。
【００７６】
印象コーピングがアバットメントに係合されるときに、必要とされる場合、上述したように、印象コーピング６００がアバットメントに係合される際に最初にアバットメント上を前進されるハウジング６２０の根尖側端部領域６２８は、印象コーピング６００から離れるように組織を押すのを補助する表面を形成するために斜角がつけられていてよい（例えば、角度がつけられているまたは自由端部に向かってテーパがつけられている）。図２２Ａおよび２２Ｂの例示の実施形態で見られるように、印象コーピング６００がアバットメント１００に係合される場合、根尖側端部領域６２８がハウジング６２０の根尖側開口部を画定する表面を有しており、インプラント１０００の肩部１０５０と同一平面での対合係合を形成する（この同一平面での対合係合は図２２Ａおよび図２２Ｂでは参照符号Ｓで示される）。したがって、図２２Ａ〜２２Ｂの例示の実施形態では、印象コーピング６００が、アバットメント１００との対合固定係合（すなわち、突起部６１６ａと保持溝１２５との間の対合係合）によってインプラント１０００に対して固定されるが、印象コーピング１００は、それにもかかわらず、例えば、アバットメント上の肩部に対向するインプラントの肩部１０５０上にフィニッシュライン（印象コーピングの根尖側端部がここに位置される）を形成する。別の例示の実施形態では、後でより詳細に説明するように、一時的コーピングとフレームワークとの間のフィニッシュラインも、アバットメント１００上ではなく、インプラントの肩部１０５０のところにあってよい。しかし、後で説明するように、本教示の別の例示の実施形態は、その上で支持されて、アバットメント上の１つまたは複数の保持溝と構成要素上の１つまたは複数の突起フィーチャとの間での対合係合（例えば、スナップフィット係合）を介して保持される種々の構成要素（例えば、例示の実施形態による印象コーピング、一時的コーピングおよび／またはフレームワーク）とのフィニッシュライン面を形成するように構成される肩部を備えるアバットメントを企図する。したがって、例えば、印象コーピング６００の根尖側端部６２８が、例えば図４１の例示のアバットメント４１００の肩部４１０５などの、アバットメント上の肩部の表面と同一平面をなすように位置され得る。
【００７７】
しかし、種々の例示の実施形態によれば、例えばアバットメントの肩部などのアバットメントの一部分上ではなく、インプラントの肩部にフィニッシュラインを形成することにより、歯冠（リストレーション）／歯根の比を小さくすることが可能となる場合があり、それにより、インプラントまたはアバットメントが破損する危険性を軽減することができる。さらに、咬合荷重を受けても、アバットメントとインプラントとの間の係合部に伝達される力を小さくすることができる。この係合部は、そこに加えられる力が大きすぎる場合には破損の原因となる場合がある。また、アバットメントではなくインプラントの肩部上にリストレーションのフィニッシュラインを形成することにより、インプラント本体に伝達される力を強めることができる場合がある。例としては、咬合荷重の際、この力の約８５％から約９５％、例えば９１％がインプラントに伝達され得、この荷重の割合は、例えばインプラントの構成（例えば、大きさ）によって決定されてよい。
【００７８】
種々の例示の実施形態では、本教示による印象コーピングは、例えば、ステンレス鋼、チタン合金もしくは別の適当な生体適合性金属などの生体適合性金属、または、生体適合性プラスチックと生体適合性金属とを含む合成物で作られてよい。印象コーピングを、例えば、金属を含む材料などの、放射線不透過物質で作ることは、印象コーピングをＸ線で観察することを補助する場合があり、インプラントの位置を正確に把握することを実現することを補助し、および／または、リストレーションを構成することを補助する。しかし、別法として、本教示の種々の例示の実施形態による印象コーピングはプラスチック材料で作られてもよい。プラスチック材料の場合、図６〜１７の例示の実施形態に示される２部品からなる構成のコーピングとは異なり、印象コーピングは例えば射出成形を介して形成される単一部品の構成であってよい。
【００７９】
印象コーピングの寸法は、変更されてよく、印象コーピングとアバットメントとの間の同一平面での対合嵌合さらにはインプラントの肩部との同一平面での対合嵌合を形成するために、その例が上で提示された例えば歯冠側首部のところのインプラントの直径に基づいて、選択されてよい。非限定の例では、直径ＤH（図７を参照）は、約２．６ｍｍ（０．１０２インチ）から７ｍｍ（０．２７６インチ）の範囲、例えば、約４．１ｍｍ、約４．８ｍｍまたは約６．５ｍｍであってよい。やはり非限定の例では、印象コーピング６００の端部から端部までの長さは、約５ｍｍ（０．１９７インチ）から約１２ｍｍ（０．４７２インチ）の範囲、例えば約１１ｍｍ（０．４３３インチ）であってよい。ハウジング６２０の端部から端部までの長さは、約４ｍｍ（０．１５７インチ）から約８ｍｍ（０．３１５インチ）の範囲、例えば約７ｍｍ（０．２７６インチ）であってよい。
【００８０】
したがって、本教示による種々の例示の実施形態は、患者の口の中でインプラントの位置の印象をとるためにおよび患者の口の中でインプラントを位置決めするためにアバットメント１００などのアバットメント上に確実かつ正確に保持される、例えば、図７〜１７の例示の実施形態を参照して示され説明された印象コーピングなどの、印象コーピングの使用を企図する。しかし、代替の例示の実施形態では、本教示は、具体的にはアバットメントがインプラントに固定されている場合に１つまたは複数の保持溝が患者の歯肉線の上方に露出されているときに、１つまたは複数の保持溝を有するアバットメントが患者の口の中で直接に印象をとるのに使用され得ることを、企図する。言い換えると、印象材（例えば、低粘稠度の印象材）が、印象コーピングを使用せずに、患者の口の中のインプラントに固定されたアバットメントの周りに直接に形成されてよい。１つまたは複数の保持溝が、直接印象からの印象モールド内にアナログが逆嵌合（ｒｅｔｒｏ−ｆｉｔｔｅｄ）されるのを可能にするくらい十分の深さで形成されてよく、それにより、ストーンモデルが注入されるときにアナログに対して垂直に移動することが実質的に防止される。さらに、例えば平坦表面部分１２０などの、アバットメントの平坦表面部分が、印象材料内に、患者の口の中でのアバットメントでの位置を記録することができ、歯科技工所でストーンモデルが注入されるときの印象内での回転運動を排除することができる。
【００８１】
次に図２３〜２７を参照すると、本教示による一時的コーピングの種々の例示の実施形態が示されている。図２３〜２６では、一時的コーピング８００は、開いた根尖側端部８８０および閉じた歯冠側端部８９０を有するテーパがついた実質的にフラストロ形円錐形の中空構成である。一時的コーピング８００は、アバットメント１００などのアバットメント上を前進するように構成される。図２４〜２６で最もよく見られるように（図２４は図２３の根尖側端部からの図であり、図２５は図２４の線２５−２５に沿った断面図であり、図２６は図２４の線２６−２６に沿った断面図である）、図２３〜２６の例示の実施形態では、コーピング８００の内側周囲表面の周りを平坦表面部分８２０まで延在する連続する突起リング８１６の形態の突起フィーチャが、根尖側端部８８０に近接して、一時的コーピング８００の内側周囲表面上に設けられている。印象コーピング６００上の突起部６１６と同様に、突起リング８１６は、例えばアバットメント１００上の保持溝１２５などの、アバットメント上に設けられた１つまたは複数の保持溝と対合係合を形成するように構成されていてよい。突起リング８１６は凸面形状を有していてよく、一時的コーピング８００をアバットメント上で正確かつ確実に保持するためにアバットメント上の例えば保持溝１２５などの保持溝に（例えば、スナップフィット形式で）係合されるように構成されていてよい。言い換えると、突起リング８２５は、一時的コーピング８００がアバットメント１００上を下方向に前進させられてアバットメント１００に対合係合（例えば、スナップフィット）されるときに、保持溝１２５に同一平面で精密に対合されるように構成されていてよい。
【００８２】
図２４および２５に最もよく示されるように、一時的コーピング８００の内側平坦表面部分８２０が残りの表面部分と比較して内側に向かって延在している。平坦表面部分８２０は、一時的コーピング８００の中心を向いている実質的に平坦な表面であってよく、例えばアバットメント１００上の平坦表面部分１２０などの、アバットメント上の平坦表面部分に対応しておりそれと実質的に同一平面になるように当接されるように構成されていてよく、それにより、アバットメントに対して一時的コーピング８００が相対的に回転することが防止されるおよび／またはアバットメントに対して一時的コーピング８００を位置合わせすることが補助される。
【００８３】
図２５および２６でおそらく最もよく示されるように、一時的コーピング８００の内側は、開いた根尖側端部８８０から歯冠側端部８９０までテーパがつけられた表面を有していてよい。テーパの程度は、一時的コーピングが係合される例えばアバットメント１００の部分１５０などのアバットメントの支持部分のテーパに実質的に一致していてよい。例えば、テーパの角度θは、約４°から約８°の範囲、例えば約５．５°から約６．５°であってよく、例えばθは約６°であってよい。
【００８４】
一時的コーピング８００の長さおよび他の寸法は、インプラントおよびアバットメントの寸法に基づいて所望される通りに選択され得る。非限定の例では、一時的コーピングは、２．６ｍｍから７ｍｍの間、例えば、４．１ｍｍ、４．８ｍｍまたは６．５ｍｍの歯冠側首部直径を有するインプラントに嵌合されるように構成されたアバットメントに嵌合されるように構成されていてよい。例えば、直径ＤTC（図２６を参照）は、一時的コーピングがそれに係合されるように構成されるインプラントの歯冠側首部直径に一致するような大きさであってよい。したがって、種々の例示の実施形態では、ＤTCは約２．６ｍｍから約７ｍｍの範囲であってよい。例えば、ＤTCは約４．１ｍｍ、約４．８ｍｍまたは約６．５ｍｍであってよい。別法として、プラットフォームサイジングが所望される場合、ＤTCは、プラットフォームサイジングの記述を参照して上で説明したように、ある範囲内にあってよい。種々の例示の実施形態では、一時的コーピング８００の内径（例えば、直径および長さなど）は、一時的コーピング８００の内側周囲表面と一時的コーピング８００が係合されるアバットメントの構成要素支持部分（例えば、アバットメント１００の部分１５０）の外側周囲表面との間に実質的に同一平面の対合表面接触部（すなわち、加工公差内）を形成するように選択されてよい。
【００８５】
一時的コーピングは、当業者であれば精通しているように、患者の歯肉組織の高さに基づいて患者ごとに一時的リストレーションの外形を作るのを可能にするためのカフ８８５を根尖側端部８８０のところに有していてよい。カフ８８５は、図２６の向きにおいて水平方向から約４５°から約７５°の範囲、例えば約６０°の角度δのところに例えば配置されてよい、角度がついた外側表面を有していてよい。カフの高さｈTC.cuff（図２６を参照）は、約１ｍｍ（０．０３９インチ）から約４ｍｍ（０．１５７インチ）の範囲であってよく、根尖側端部８８０から歯冠側端部８９０までの全長（カフ８８５を含む）は、約４ｍｍから約９ｍｍ（０．３５４インチ）の範囲であってよい。種々の例示の実施形態では、一時的コーピング８００の壁の厚さｔTCは、平坦表面部分８２０のところの位置を除いて、約０．０２インチ（０．５１ｍｍ）から約０．０４インチ（１．０２ｍｍ）の範囲であってよい。
【００８６】
例えばカフ８８５上の、一時的コーピング８００の端部８８０の角度がついた表面は、一時的コーピング８００をアバットメントに係合させるときに組織を邪魔にならないように移動させるのを容易にすることができる。さらに、図６〜１６および２２を参照して上で説明した印象コーピングと同様に、端部８８０の斜角つきの内側表面は、一時的コーピング８００がインプラントに固定されたアバットメントに係合されるときに、例えば肩部１０５０（または、（存在する場合）、例えば図４１の肩部４１０５などの、アバットメント上の肩部）などの、インプラントの肩部に同一平面で対合される形式で当接されるように構成されていてよい。
【００８７】
図２３〜２６の例示の実施形態は、一時的コーピングの内側周囲表面の周りを約２７０°で延在する単一の連続する突起リングを備える一時的コーピングを示しているが、図２７の根尖側端部からの図に示されるように、代替の例示の実施形態では、一時的コーピング２７００は、本教示によるアバットメント上の１つまたは複数の保持溝に例えばスナップフィット形式で係合されるように構成された１つまたは複数の比較的局部的な突起部２７１６を備えていてよい。一時的コーピング２７００は、実質的に互いに反対側に配置される２つの突起部２７１６を含んでいてよく、内側表面部分２７２０が２つの突起部２７１６の間の実質的に中間に配置される。一時的コーピング２７００の他の部分は、一時的コーピング８００を参照して上で説明したものと実質的に同じであってよい。別の代替の例示の実施形態（図示せず）では、本教示による一時的コーピングは、単一の突起リングではなく、図２３〜２６で示したものとは角度の大きさが異なる突起リング、または、一時的コーピングの内側周囲表面の周りで互いに離間される複数の突起リングを備えていてよい。本教示の範囲から逸脱することなくこれらの突起フィーチャに対して種々の修正がなされ得ることを当業者であれば理解するであろう。本明細書で使用される場合、「突起リング」と称されるときは、この専門用語が、部分的な（例えばアーク形状の）突起構造物を包含することを意図することを理解されたい。突起リングという用語は、内側周囲表面の全体の周り（例えば、３６０°など）を延在する突起フィーチャに限定されず、種々の長さ（すなわち、角度の大きさ）を有する連続する突起部を含んでよい。
【００８８】
突起フィーチャの構成（例えば、大きさおよび形状）は、１つまたは複数の突起リングの形態であってもまたは１つまたは複数の比較的局部的な突起部の形態であっても、例えば、突起フィーチャがそれに係合されるように設計される１つまたは複数の保持溝の形状および大きさ、突起フィーチャと保持溝との間の例えばスナップフィット係合などの対合係合を実現するのに必要となる所望される力、ならびに／または、アバットメントと一時的コーピングとの間の所望される保持力などの、種々の考慮点に基づいて選択され得る。同様に、突起リングの形態であってもまたは比較的局部的な突起部の形態であっても、突起フィーチャの数および位置は変更されてよく、同様の考慮点に基づいて選択されてよい。一時的コーピング上の突起フィーチャの数は１つまたは複数の範囲であってよい。
【００８９】
種々の例示の実施形態では、連続するリングの形態であってもおよび／または局部的な突起部の形態であっても、突起フィーチャは、約０．０１５インチ（０．３８ｍｍ）から約０．０２５インチ（０．６４ｍｍ）の範囲、例えば約０．０２インチ（０．５１ｍｍ）の曲率半径を有する実質的に凸面の形状を有していてよく、約０．００２インチ（０．０５１ｍｍ）から約０．００６インチ（０．１５ｍｍ）だけ、例えば約０．００４インチ（０．１０２ｍｍ）だけコーピングの内側周囲表面部分から突出していてよい。突起フィーチャの高さは（例えば、一時的コーピングの長手方向軸の方向に沿って測定される）、約０．０１５インチ（０．３８ｍｍ）から約０．０４０インチ（１．０２ｍｍ）の範囲、例えば約０．０２１インチ（０．５３ｍｍ）であってよい。もちろん、これらの寸法が、単に例示的なものであり、例えば、突起フィーチャがスナップフィット形式でそれに係合されるように設計される保持溝の寸法や、突起フィーチャとこのような保持溝との間の所望される保持力などに応じて変更されてよいことを、当業者であれば理解するであろう。例えば、種々の例示の実施形態による一時的コーピング上の１つまたは複数の突起フィーチャは、これらの１つまたは複数の突起フィーチャがそれらに係合されることが所望されるアバットメント上の対応する保持溝と実質的に１００％の干渉対合嵌合を形成するように構成されていてよい。さらに例えば、一時的コーピング上の１つまたは複数の突起フィーチャは、１つまたは複数の保持溝と例えばスナップフィットを介して対合係合を実現するように、約２．５ｌｂ．（１１．１Ｎ）から約７ｌｂ．（３１．１Ｎ）の範囲の力を発生させるように構成されていてよい。加えて、一時的コーピングの１つまたは複数の突起フィーチャは、突起部をアバットメント上の１つまたは複数の保持溝から外すために（すなわち、一時的コーピングをアバットメントから引き抜くために）約１０ｌｂ．（４４．５Ｎ）から約２０ｌｂ．（９０Ｎ）の範囲、例えば約１５ｌｂ．（６６．７Ｎ）の力を発生させるように構成されていてよい。
【００９０】
別の例示の実施形態（図示せず）では、一時的コーピングは、平坦表面部分８２０、２７２０を備えないことを除いて、一時的コーピング８００または２７００と実質的に同じであってよい。このような一時的コーピングの場合、突起リングは一時的コーピングの内側周囲表面の全体の周りを延在していてよい。平坦表面部分８２０を備えないこのような一時的コーピングは（これはしばしば「丸形の」一時的コーピングと称され、対して、平坦表面部分を備える一時的コーピングは「平坦な」一時的コーピングと称される）、通常、患者の口の中に複数のリストレーションが必要とされるときに使用される。複数のリストレーションに関連して使用される一対のいわゆる「丸形の」一時的コーピングの使用は、当業者であれば精通している。
【００９１】
種々の例示の実施形態では、本教示による一時的コーピングは、１つまたは複数の突起フィーチャとアバットメント上の１つまたは複数の保持溝との（例えば、スナップフィット係合を介した）対合係合を比較的容易に可能にするプラスチック材料で作られてよい。適した材料の例には、限定しないが、ポリ−エーテル−エーテルケトン（ＰＥＥＫ）、ハイブリッドＰＥＥＫ、ＰＥＥＫポリマー、ナイロンおよび／またはデルリン（Ｄｅｌｒｉｎ）を含む材料が含まれてよい。別法として、本教示による一時的コーピングは、例えば種々の等級のチタンおよびチタン合金などの、金属材料から作られてよい。本教示による一時的コーピングに適するさらに別の材料には、金属とプラスチックとの両方を含むハイブリッド複合材料が含まれてよい。
【００９２】
一時的コーピングと一時的な交換歯のベニヤ材料との化学的結合を可能にする例えばビス−アクリル樹脂材料などの種々の例示の材料が、本教示の例示の実施形態による一時的コーピングを形成するのに使用されてよい。このような化学的結合は、一時的コーピングを一時的な交換歯のベニヤ材料（例えば、当業者が精通する、一時的リストレーションを形成するのに適したアクリル樹脂材料および／または別の材料）に接着するための別の接着機構を必要とすることなく使用され得るが、追加の接着機構が使用されてもよい。一時的リストレーションとのこのような化学的結合を実現する一時的コーピングを作るのに使用され得る種々の材料については、参照により全体が本明細書に組み込まれる、２００８年１２月１１日に出願された米国特許出願第１２／３３２，５２４号明細書を参照されたい。種々の例示の実施形態による一時的コーピングを形成するのに使用され得る適切なビス−アクリル樹脂材料の一例には、３Ｍによって作られているＰｒｏｔｅｍｐ（商標）Ｐｌｕｓ  Ｔｅｍｐｏｒｉｚａｔｉｏｎ  Ｍａｔｅｉｒａｌが含まれる。
【００９３】
永久的リストレーションを構成するために、本教示の種々の例示の実施形態はさらに、本教示のアバットメントの例示の実施形態のものと実質的に同じ歯冠部分構成（例えば、構成要素支持部分）を有するアナログの使用を企図する。例えば、図１〜５の例示の実施形態のアバットメント１００を参照すると、本教示によるアナログの例示の実施形態が、構成要素支持部分１５０、保持溝１２５、および、フラストロ形円錐部分１４０の上側部分（すなわち、部分１４０が肩部１３０に向かってテーパがつけられ始める手前の、保持溝１２５からアバットメント１００の最も広い部分Ｄaまで）と同じ構成を有する構成を示している。本教示によるアナログの例示の実施形態は、例えば歯科技工所内で使用されてよく、１つまたは複数のバーンアウトコーピングに係合されるように構成されていてよく、１つまたは複数のバーンアウトコーピングには「ロストワックス」技術を実施するためにワックスが塗布されてよく、結果的に、永久的リストレーションのフレームワークを形成するためにバーンアウトコーピング（上述した）は融解される。本教示による代替の例示の実施形態では、ワックスは、バーンアウトコーピングを使用することなくアナログに直接に塗布されてよく、このようにして形成されたワックスモールド上で「ロストワックス」技術が実行されてフレームワークが作られる。一部の事例では、アナログに直接にワックスを塗布することにより、バーンアウトコーピングを使用して得られる寸法より精密な寸法を得ることができる。というのは、バーンアウトコーピングが、フレームワークを形成するために溶融物質を注入するときに一部に追加の空間をとる場合がある射出成形部品であるからである。また、ワックスをアナログに直接に塗布する場合では、バーンアウトコーピングのカフ部分が、アナログおよびアナログに直接に塗布されるワックスの上に設けられ得ること、さらに、フレームワークの所望されるフィニッシュライン部分を模造するようにワックスを形成する必要がなくその上のカフ部分が最終的なフレームワークの所望される根尖側端部のフィニッシュラインを得るのに使用され得ること、が企図される。
【００９４】
図２８〜３０は、本教示によるアナログの例示の実施形態を示している。これらの図に示されるように、アナログ２８００は、アナログにトルクを与えるための工具を受けるように構成された開口部１１５または溝１３５をアナログが備えていないことを除いて、アバットメント１００の対応する部分１５０および平坦側部分１２０のそれぞれと実質的に同じように構成された、平坦側部分２８２０を有するテーパがつけられた構成要素支持部分２８５０を含む。アナログ２８００はまた、アバットメント１００上の保持溝１２５と実質的に同じような大きさでありそれらと同じように位置される少なくとも１つの保持溝２８２５と、インプラント上のまたは図４０などの代替の実施形態ではアバットメント上の肩部を模造するように構成された肩部分２８４２に接触する前は、保持溝１２５に隣接して根尖側方向においてわずかに外側に広がっている部分２８４１とを含む。
【００９５】
したがって、本教示の種々の例示の実施形態によると、アナログ２８００などのアナログは、本教示によるアバットメント上の同じ部分に実質的に対応するような、１つまたは複数の保持溝を含む構成要素支持部分と、アナログ上に設けられる肩部分までの、保持溝までのちょうど先端の部分と、のための寸法および構成を有していてよい。種々の例示の寸法および構成、およびそれに対する修正は、図１〜５の例示の実施形態のアバットメント１００を参照して上で説明されており、これらの寸法、構成および修正は、本教示の例示の実施形態による例えばアナログ２８００などを含めたアナログの対応する部品に対して適用可能である。
【００９６】
上述したように、永久的リストレーションのフレームワークを形成するための１つの例示の技術では、本教示によるアナログ（例えば、アナログ２８００など）に嵌合され得るバーンアウトコーピングが使用され得、そこからワックスモールドが形成される。また、バーンアウトコーピングには、いわゆる「平坦な」構成（すなわち、平坦な内側表面部分を含む）と「丸形の」構成（すなわち、平坦な内側表面部分を含まない）との両方が含まれてよく、「平坦な」バーンアウトコーピングは単一のリストレーションに対して使用され、「丸形の」バーンアウトコーピングは複数のリストレーションに対して使用される。バーンアウトコーピングはまた、一時的コーピングを参照して上で説明したような種々の突起フィーチャ構成を含むことができ、これは、本教示の例示の実施形態によるアバットメントと一時的コーピングとの係合を参照して上で説明した形式と実質的に同様の形式でアナログの保持溝２８２５と例えばスナップフィットなどの対合係合を形成するのに使用され得る。
【００９７】
図３１〜３４は、本教示によるバーンアウトコーピング３１００の例示の一実施形態を示している。バーンアウトコーピング３１００は、開いた根尖側端部３１８０と閉じた歯冠側端部３１９０とを有する、テーパがつけられた（例えば、フラストロ形円錐形の）中空構成を有する。バーンアウトコーピング３１００は、例えばアナログ２８００などのアナログ上を前進するように構成される。図３２〜３４で最もよく示されるように（図３２は図３１の根尖側端部から見た端面図であり、図３３は図３２の線３３−３３に沿った断面図であり、図３４は図３２の線３４−３４に沿った断面図である）、コーピング３１００の内側周囲表面の周りで互いに実質的に反対側に配置される（１８０°離れている）２つの局部的な突起部３１１６の形態の突起フィーチャが、根尖側端部３１８０に近接してバーンアウトコーピング３１００の内側表面上に設けられている。上述したトランスファーコーピング上の突起部と同様に、突起部３１１６は、例えばアナログ２８００上の保持溝２８２５などの、アナログ上に設けられる１つまたは複数の保持溝に係合されるように構成されていてよい。突起部３１１６は、凸面形状を有していてよく、バーンアウトコーピング３１００とアナログとの正確かつ確実な保持をなすために、アナログ上の例えば溝２８２５などの１つまたは複数の保持溝にスナップフィットされる形式で係合されるように構成されていてよい。
【００９８】
図３２および３３で最もよく示されるように、バーンアウトコーピング３１００の内側平坦表面部分３１２０は、他の表面部分と比較して内側に向かって延在していてよい。本明細書で別の構成要素を参照して上で説明した場合と同様の形式で、平坦表面部分３１２０は、バーンアウト３１００の中心を向いている実質的に平坦な表面を有していてよく、例えばアナログ２８００上の平坦表面部分２８２０などの、アナログ上の平坦表面部分に対応しておりそれらに実質的に同一平面をなすような形で当接されるように構成されていてよい。
【００９９】
図３３および３４でおそらく最もよく示されるように、バーンアウトコーピング３１００の内側は、開いた根尖側端部３１８０から歯冠側端部３１９０までのテーパがつけられた表面を有していてよく、テーパの程度は、バーンアウトコーピング３１００がそれに係合されるように構成される、例えばアナログ２８００の部分２８５０などの、アナログの冠状部分のテーパに実質的に一致していてよい。例えば、テーパの角度Φは、約４°から約８°の範囲、例えば約５．５°から約６．５°であってよく、例えば、Φは約６°であってよい。バーンアウトコーピング３１００の長さおよび他の寸法は、インプラントおよびアナログの寸法、ならびに、バーンアウトコーピング３１００を使用して最終的に形成されるフレームワークの所望される寸法に基づいて所望される通りに選択されてよい。非限定の例では、バーンアウトコーピングは、約２．６ｍｍから約７ｍｍの範囲、例えば約４．１ｍｍ、約４．８ｍｍまたは約６．５ｍｍの歯冠側首部直径を有するインプラントに嵌合されるように構成されるようなフレームワークを最終的に作るように構成されてよい。したがって、直径ＤBC（図３４を参照）は約２．６ｍｍから約７ｍｍの範囲であってよく、例えば、ＤBCは、約４．１ｍｍ、約４．８ｍｍもしくは約６．５ｍｍであってよく、または、プラットフォームサイジングが所望される場合には上述した範囲内の大きさであってよい。
【０１００】
バーンアウトコーピング３１００はまた、約０．３ｍｍ（０．０１２インチ）から０．５ｍｍ（０．０２０インチ）からの範囲の高さｈBC.cuffを有する、根尖側端部３１８０のところにあるカフ３１８５を有していてよく、根尖側端部３１８０から歯冠側端部３１９０までのバーンアウトコーピングの全長は約４ｍｍから約９ｍｍの範囲であってよい。カフ３１８５の端部３１８０のところの外側表面の角度ωは、例えば、約４５°から約７５°の範囲であってよく、例えばωは約６０°であってよい。種々の例示の実施形態では、バーンアウトコーピング３１００の壁の厚さｔBCは、存在する場合は平坦表面部分３１２０の位置のところを除いて、約０．０１２インチ（０．３０４ｍｍ）から０．０２インチ（０．５１ｍｍ）の範囲であってよい。
【０１０１】
カフ３１８５の根尖側端部３１８０のところの斜角つき（例えば、角度がつけられた）表面は、そこから形成される最終的なフレームワークで所望される形状に類似する形状の表面を有していてよく、それにより、永久的リストレーションがそこからインプラントの肩部（例えば、インプラント１０００の肩部１０５０）に対合されるまたは種々の例示の実施形態ではアバットメント上の肩部（例えば、図４１の肩部４１０５）に対合される、永久的リストレーションの連続したエマージェンスプロファイルが形成される。バーンアウトコーピングの根尖側端部３１８０の根尖側開口部を画定する斜角つき内側表面が、バーンアウトコーピング３１００がアナログ上で保持されるときに、アナログ上に設けられた肩部（例えば、図２８および２９の肩部２８４２など）に同一平面で対合されるような形で当接されるように構成されてよい。
【０１０２】
図３１〜３３の例示の実施形態は２つの対向する局部的な突起部３１１６を備えるバーンアウトコーピングを示しているが、１つまたは複数の範囲の任意の数のこのような局部的な突起部が、本教示によるアナログ上の１つまたは複数の保持溝と確実かつ正確な対合係合（例えば、スナップフィット係合）を形成するために、バーンアウトコーピングの周囲部の周りに所望されるように設けられて位置されてよいことを、当業者であれば理解するであろう。さらに、代替の例示の実施形態では、局部的な突起部の代わりに、上述した一時的コーピング８００の突起リング８１６に類似する突起リングが設けられてもよい。壁の厚さを除いて、このような突起リングを備えるバーンアウトコーピングは図２４に示されるものと類似の断面を有することになる。別の代替の例示の実施形態（図示せず）では、本教示によるバーンアウトコーピングは、単一の突起リングではなく、図２４に示されるものとは角度の大きさが異なる突起リング、または、一時的コーピングの長手方向に沿った実質的な同じ位置で、一時的コーピングの内側周囲表面の周りで互いに離間された複数の突起リングを備えていてよい。本教示の範囲から逸脱することなく突起フィーチャに対して種々の修正がなされ得ることを当業者であれば理解するであろう。
【０１０３】
突起フィーチャの構成（例えば、大きさおよび形状）は、１つまたは複数の突起リングの形態であってもまたは１つまたは複数の比較的局部的な突起部の形態であっても、アナログ上の保持溝と形成される係合の程度および正確で確実な対合の程度、ならびに／または、後でさらに詳細に説明するように、このようなバーンアウトコーピングから形成される永久的リストレーションのフレームワークをアバットメント上で確実および／もしくは正確に保持するのを実現する能力、を含めた種々の考慮点に基づいて選択され得る。種々の例示の実施形態では、１つまたは複数の連続するリングの形態であってもおよび／または局部的な突起部の形態であっても、突起フィーチャは、約０．０１５インチ（０．３８ｍｍ）から約０．０２５インチ（０．６４ｍｍ）の範囲、例えば約０．０２インチ（０．５１ｍｍ）の曲率半径を有する実質的に凸面の形状を有していてよく、約０．００３インチ（０．０７６ｍｍ）から約０．００６インチ（０．１５ｍｍ）だけ、例えば約０．００４インチ（０．１０２ｍｍ）だけコーピングの内側周囲表面部分から突出していてよい。バーンアウトコーピングの長手方向軸に沿って測定される突起フィーチャの寸法（すなわち、高さ）は、これらの突起フィーチャがそれらの対合されるように構成される保持溝の高さ（例えば、高さｈg）と実質的に同じであってよく、範囲の例示の実施形態では約０．０２１インチ（０．５３ｍｍ）から約０．０４９２インチ（１．２５ｍｍ）であってよい。
【０１０４】
もちろん、上述の寸法が、単に例示的なものであり、例えば、突起フィーチャがそれに係合されるように設計される保持溝の寸法や、突起フィーチャとこのような保持溝との間の所望される保持力などに応じて変更されてよいことを、当業者であれば理解するであろう。バーンアウトコーピングの場合、所望される保持力は、バーンアウトコーピングをアナログから外すことなくバーンアウトコーピングにワックスを塗布するのを可能にするくらい十分な大きさの力であってよい。例えば、バーンアウトコーピング上の１つまたは複数の突起フィーチャは、１つまたは複数のバーンアウトコーピングの突起フィーチャとアナログ上の１つまたは複数の保持溝との係合を実現するために約１／２ｌｂ．（２．２Ｎ）から約２ｌｂ．（８．９Ｎ）の範囲、例えば約１ｌｂ．（４．４Ｎ）の力が加えられ得るように、構成されてよい。
【０１０５】
別の例示の実施形態（図示せず）では、バーンアウトコーピングは、平坦表面部分３１２０を備えないことを除いて、バーンアウトコーピング３１００と実質的に同じであってよい。このようなバーンアウトコーピングの場合、例示の実施形態において、局部的な突起部の代わりに突起リングが設けられる場合、このようなリングはバーンアウトコーピングの内側周囲表面の全体（すなわち、３６０°）の周りを延在してよい。平坦表面部分３１２０を備えないこのようなバーンアウトコーピング、すなわち「丸形の」バーンアウトコーピングは、通常、患者の口の中に複数のリストレーションが必要とされてさらに複数のリストレーションための構成されるフレームワークが所望される場合に使用される。複数のリストレーションに関連して使用される一対のいわゆる「丸形の」バーンアウトコーピングの使用は、当業者であれば精通している。
【０１０６】
種々の例示の実施形態では、本教示によるバーンアウトコーピングは、「ロストワックス」成形技術の際に溶融物質を注入する間にバーンアウトコーピングが融解するのを可能にするプラスチック材料で作られていてよい。当業者であれば、本教示の例示のバーンアウトコーピングと共に使用され得る、バーンアウトコーピングを作るのに適した種々の材料に精通している。
【０１０７】
バーンアウトコーピング（例えば、平坦および丸形の両方）、ならびに、それぞれ上述した例示の実施形態の一時的コーピングおよびアバットメントと実質的に同じでありそれらの形状および寸法を模造するように設計されたアナログ構成を用意することは、種々の目的を果たすことができる。例えば、永久的リストレーション（単一であっても複数であってもよい）のためのフレームワークを作る場合、フレームワークは、アバットメントと正確な対合係合を形成するような大きさおよび構成であってよく、比較的大型ではなく、かつ、フレームワークをアバットメントの固定するためにセメントを使用するときの液圧を例えば考慮して設計されるような一部の従来のアナログの場合のように、アナログがアバットメントと比較してわずかに大きいサイズである場合に起こる可能性があるアバットメントと緩い嵌合を形成するものではない。フレームワークとアバットメントとの間の嵌合の精度をこのように向上させることは、バーンアウトコーピングが使用される場合でも、フレームワークを「ロストワックス」製造するためのモールドを形成するのにバーンアウトコーピングを使用せずにアナログの周りにワックスを直接に形成する場合でも、実現され得る。さらに、フレームワークとアバットメントとの間での適合性が高く正確なこのような嵌合は部分的に実現されてもよい。というのは、例示の実施形態によるバーンアウトコーピングおよび／またはアナログを使用した成形の結果としてその内側表面上に形成される任意の突起部を除去するためにフレームワークが機械加工されるような事例においては、アバットメント上に設けられる１つまたは複数の保持溝が、交換歯をインプラント上に設置するときに過剰の接着材料（例えば、セメント）が集まる可能性がある領域を形成する可能性があるためである。したがって、本教示の種々の例示の実施形態による種々の構成要素を使用することによって形成される交換歯を設置する場合ではそれに伴う液圧を低下させることが可能となり、したがって、過度の液圧を軽減するために大きめの交換歯を接着材料に適応させる必要がなくなる。
【０１０８】
後でより詳細に考察する種々の例示の実施形態では、機械加工を一切行う必要がないか、または、本教示の例示の実施形態によるバーンアウトコーピングまたはアナログのいずれかのワックスモールドから作られるフレームワーク上に最終的に形成される突起フィーチャとの対合係合を実現するために少なくとも最小の機械加工が必要となる。しかし、形成された突起フィーチャをすべてまとめてフレームワークから取り除くことが所望される場合、アナログ上の１つまたは複数の保持溝に係合されるように構成された例えば図３１〜３４に示される突起部３１１６のような内側周囲表面部分上の突起フィーチャを含むバーンアウトコーピング構成を使用することにより、バーンアウトコーピングから鋳造されるフレームワークの端部から延在するリップなどの部分を機械加工で除去する必要が排除される。機械加工で除去される必要があるこのような端部構造を除去することにより、フレームワークが最終的に係合されるアナログおよび／またはアバットメントとフレームワークとの間の嵌合を確実により精度の高いものにすることができる。全体的に見て、嵌合の精度を向上させることにより、アバットメントに対してフレームワークが適切に設置されることで、永久的な交換歯にかかる望まれない応力および永久的な交換歯の考えられる破損の危険性を軽減することができ、および／または、（セメントによる接着が所望される場合に）永久的な交換歯を配置するときにセメントの流出の危険性を軽減することができる。
【０１０９】
さらに、一部の事例では、１つまたは複数の対応する突起フィーチャを有するバーンアウトコーピングから作られるおよび／または保持溝を有するアナログ上に直接に形成されるワックスモールドから作られるフレームワークの内側周囲表面上に形成される突起フィーチャを除去する（例えば、機械加工する）ことが所望される場合があるが、突起部が配置されている内側表面のレベルまでこのような突起物を機械加工することは比較的容易であることから、このような突起フィーチャは比較的容易に除去され得る。逆に、例えばリップなどの、フレームワークの端部のところに配置される構造物を機械加工することは、延在する構造物をどのくらいまで機械加工する必要があるかを決定することが困難である場合があることから、時間がかかる場合があり、さらには、構造物の精度を下げる可能性がある。したがって、全体的に見ると、本教示の例示の態様によるバーンアウトコーピング構造を使用することにより、フレームワークとアバットメントおよび／またはアナログとの間の嵌合の精度を上げることができ、交換歯を作るのに必要となる時間量を短縮することができる。
【０１１０】
上述したように、種々の例示の実施形態では、永久的リストレーションのためのフレームワークは、フレームワークをアバットメントに接着するためにセメントまたは別の接着材料を使用する必要がなく、溝付きのアバットメント（または、複数のリストレーションの場合、複数の溝付きアバットメント）に係合されるようにさらにはそれらの上に保持されるように構成され得る。本明細書に記載される種々の例示の実施形態では、このようなフレームワークは、本教示の例示の実施形態によるバーンアウトコーピング（すなわち、その内側周囲表面上に１つまたは複数の突起フィーチャを備える）、または、本教示の例示の実施形態による溝付きのアナログにワックスを直接に塗布するディレクトワックス手法（ｄｉｒｅｃｔ  ｗａｘ  ａｐｐｒｏａｃｈ）のいずれかを使用する、「ロストワックス」技術を介して形成され得る。さらに、種々の例示の実施形態では、本教示は、上述した印象および／または一時的コーピングを本教示による溝付きのアバットメントに係合させる方式と同様に１つまたは複数の保持溝を有するアバットメントに係合されるように構成される、その内側周囲表面上に１つまたは複数の突起フィーチャを含むフレームワークを企図する。本教示の種々の例示の実施形態によるフレームワーク上に設けられる１つまたは複数の突起フィーチャは、上述した印象コーピング、一時的コーピング、およびバーンアウトコーピングを参照して本明細書で説明された突起フィーチャのいずれかの形態であってよい。
【０１１１】
例えば、ワックスがアナログ２８００などのアナログ上に直接に形成され、フレームワークを作るためにそのワックスモールド上で「ロストワックス」技術が実行される場合、ワックスモールド、さらにはそれに伴いフレームワークが、アナログ２８００上の保持溝２８２５に実質的に一致する突起リングを内側表面上に有するように形成される。同様に、本教示の例示の実施形態に従って上述したように、アナログにスナップフィットの形式で係合されるように構成された、その内側表面上に１つまたは複数の突起フィーチャを備えるバーンアウトコーピングが「ロストワックス」技術を実行するのに使用される場合、そこから作られるフレームワークは、やはり、その内側表面上に対応する突起フィーチャを含む。しかし、本教示の種々の例示の実施形態は、このような突起フィーチャをすべて機械加工で除去するのではなく、突起フィーチャとアバットメント上の１つまたは複数の保持溝（例えば、アバットメント１００上の溝１２５など）との対合係合を形成するために、フレームワーク上に形成される突起フィーチャを使用することを企図する。種々の例示の実施形態では、フレームワーク上の１つまたは複数の突起フィーチャとアバットメント上の１つまたは複数の保持溝との間の対合係合はスナップフィット係合であってよい。
【０１１２】
図３５〜３８は、本教示によるフレームワーク３５００の例示の一実施形態を示している。図３５では、フレームワーク３５００が、永久的な最終リストレーションの例示の実施形態を概略的に説明するために、歯を形成するような形状のベニヤ材料を支持して例示のために示されている。フレームワーク３５００は、開いた根尖側端部３５８０と閉じた歯冠側端部３５９０とを有する、テーパがつけられた（例えば、円錐冠状の）中空構成を有する。フレームワーク３５００は、例えばアバットメント１００などのアバットメント上を前進するように構成される。図３６〜３８で最もよく示されるように（図３６は図３５の根尖側端部から見たフレームワーク３５００の端面図であり、図３７は図３６の線３７−３７に沿ったフレームワーク３５００の断面図であり、図３８は図３６の線３８−３８に沿ったフレームワークの断面図である）、フレームワーク３５００の内側周囲表面の周りを約２７０°延在する突起リング３５１６が根尖側端部３５８０に近接してフレームワーク３５００の内側表面上に設けられている。本明細書に記載される種々の他の突起フィーチャと同様に、突起リング３５１６は、例えば本教示の例示の態様によるアバットメント１００上の保持溝１２５などの、アバットメント上に設けられた１つまたは複数の保持溝に対合されて係合されるように構成されていてよい。突起リング３５１６は、凸面形状を有していてよく、フレームワーク３６５０（さらには、それに伴い永久的リストレーション）とアバットメントとの正確かつ確実な保持をなすために、アバットメント上の例えば溝１２５などの溝に例えばスナップフィット係合を介して対合されて係合されるように構成されていてよい。
【０１１３】
図３６および３７で最もよく示されるように、フレームワーク３５００は、他の表面部分と比較して内側に向かって延在する内側平坦表面部分３５２０を有していてよい。本明細書において別の構成要素を参照して上で説明した場合と同様に、平坦表面部分３５２０はフレームワーク３５００の中心を向いている実質的に平坦な表面を有していてよく、例えばアバットメント１００上の平坦表面部分１２０などの、アバットメント上の平坦表面部分に対応しておりそれらに実質的に同一平面をなすような形で当接されるように構成されていてよい。
【０１１４】
図３７および３８でおそらく最もよく示されるように、フレームワーク３５００の内側は、開いた根尖側端部３５８０から歯冠側端部３５９０までのテーパがつけられた表面を有していてよく、テーパの程度は、フレームワーク３５００がそれに係合されるように構成される、例えばアバットメント１００の構成要素支持部分１５０などの、アバットメントの構成要素支持部分のテーパに実質的に一致していてよい。例えば、テーパの角度Ψは、約４°から約８°の範囲、例えば約５．５°から約６．５°であってよく、例えばΨは約６°であってよい。フレームワーク３５００の長さおよび他の寸法は、永久的リストレーションを形成するためにフレームワークがそれに係合されるように設計される、インプラントおよびアバットメントの寸法に基づいて、所望される通りに選択され得る。非限定の例では、上述した一時的コーピングと同様に、フレームワーク３５００は、例えば約４．１ｍｍ、約４．８ｍｍまたは約６．５ｍｍの歯冠側首部直径などの、約２．６ｍｍから約７ｍｍの範囲の歯冠側首部直径を有するインプラントに嵌合されるように構成されてよい。さらに、根尖側端部３５８０は、このようなインプラントの肩部と同一平面で対合係合を形成するように構成されていてよいが、インプラントの肩部に対する根尖側端部３５８０の横幅を変更するのにプラットフォームサイジングが使用されてもよい。したがって、ＤCC（図３８を参照）は例示の実施形態では約２．６ｍｍから約７ｍｍの範囲であってよい。例えば、ＤCCは、約４．１ｍｍ、約４．８ｍｍもしくは約６．５ｍｍであってよく、または、プラットフォームサイジングが所望される場合にはプラットフォームサイジングの記述に関連して上述した範囲内にあってもよい。
【０１１５】
種々の例示の実施形態では、フレームワーク３５００の内部寸法（例えば、直径および長さなど）は、フレームワーク３５００の内側周囲表面とフレームワーク３５００がそれに係合されるように構成されるアバットメントの構成要素支持部分（例えば、アバットメント１００の部分１５０）の外側周囲表面との間に実質的な同一平面での対合表面接触部（すなわち、加工公差内）を形成するように選択されてよい。
【０１１６】
代替の例示の実施形態では、フレームワークの根尖側端部は、アバットメント上に設けられた肩部（例えば、図４１のアバットメント４１００上の肩部４１０５）に係合されるように構成されていてよい。
【０１１７】
図３５、３７および３８に示されるように、根尖側端部３５８０は、インプラントまたはアバットメント上の肩部と同一平面での対合係合を形成するために斜角つき（例えば、角度がつけられた）表面を含んでいてよく、それにより、インプラントから離れた永久的リストレーションの滑らかなエマージェンスプロファイルが形成される。
【０１１８】
図３５〜３８の例示の実施形態は、内側周囲表面の周りを平坦表面部分３５２０まで延在する単一の突起リングを備えるフレームワークを示しているが、代替の例示の実施形態（図示せず）では、フレームワーク３５００は、本教示によるアバットメント上の１つまたは複数の保持溝に係合されるように構成される１つまたは複数の比較的局部的な突起部（図示せず）を備えていてよい。例えば、フレームワーク３５００は、実質的に互いに反対側に配置される２つの局部的な突起部を含んでいてよく、図２７の一時的コーピングの例示の実施形態の図に示されている方式と同様の方式で、内側平坦表面部分３５２０が２つの突起部の間の実質的に中間に配置される。フレームワークの他の部分は説明したものと実質的に同じであってよい。別の代替の例示の実施形態（図示せず）では、本教示によるフレームワークは、単一の突起リングではなく、図３５〜３８で示したものとは角度の大きさが異なる突起リング、または、内側周囲表面の周りで互いに離間された複数の突起リングを備えていてよい。本教示の範囲から逸脱することなく、別の構成要素の突起フィーチャを参照して上述した修正を含めて、フレームワークの突起フィーチャに対して種々の修正がなされ得ることを当業者であれば理解するであろう。
【０１１９】
突起フィーチャの構成（例えば、大きさおよび形状）は、例えば１つまたは複数の突起リングの形態であってもまたは１つまたは複数の比較的局部的な突起部の形態であっても、フレームワークがそれに係合されるように設計されるアバットメント上の１つまたは複数の保持溝と例えばスナップフィット係合を介して確実な対合係合を形成するように選択されてよい。同様に、例えば突起リングの形態であってもまたは比較的局部的な突起部の形態であっても、突起部の数または位置は変更されてよく、本教示の例示の実施形態による一時的コーピング上の突起フィーチャを参照して上述した考慮点と同様の種々の考慮点に基づいて選択されてよい。フレームワーク上の突起フィーチャの数は１つまたは複数の範囲であってよい。
【０１２０】
一部の例示の実施形態では、アナログ上の保持溝（ディレクトワックス技術（ｄｉｒｅｃｔ  ｗａｘ  ｔｅｃｈｎｉｑｕｅ）が使用される場合）またはバーンアウトコーピング上の突起フィーチャ（バーンアウトコーピングワックス技術（ｂｕｒｎｏｕｔ  ｃｏｐｉｎｇ  ｗａｘ  ｔｅｃｈｎｉｑｕｅ）が使用される場合）のいずれかの寸法に応じて、本教示は、フレームワークの内側周囲表面上に形成される対応する突起フィーチャ（複数可）が、アバットメント上の１つまたは複数の保持溝との所望される対合係合を形成するために突起フィーチャが延在する程度をいくらか軽減するように機械加工され得ることを、企図する。単に非限定の例では、フレームワーク上の１つまたは複数の突起フィーチャの最終寸法は、機械加工を使用せず形成される場合でもまたは必要に応じて一部機械加工を使用して形成された場合でも、約０．０００８インチ（０．０２０３ｍｍ）から約０．００１８インチ（０．０４５７ｍｍ）の範囲、例えば約０．０１０５インチ（０．２６７ｍｍ）から約０．００１３インチ（０．０３３ｍｍ）の曲率半径を有する実質的に凸面の形状を有していてよく、約０．０００１インチ（０．００２５ｍｍ）から約０．００４インチ（０．１０２ｍｍ）だけ、例えば、約０．００２インチ（０．０５１ｍｍ）から約０．００３インチ（０．０７６ｍｍ）だけコーピングの内側周囲表面部分から突出していてよい。フレームワークの長手方向軸の方向に沿って測定される突起フィーチャの寸法（すなわち、突起フィーチャの高さ）は、約０．０００８インチ（０．０２０３ｍｍ）から約０．０２８インチ（０．７１ｍｍ）の範囲、例えば約０．００１１インチ（０．０２８ｍｍ）から約０．０１５インチ（０．３８ｍｍ）であってよい。
【０１２１】
もちろん、これらの寸法が、単に例示的なものであり、例えば、突起フィーチャがそれに対合される形で係合されるように設計される保持溝の寸法や、突起フィーチャとこのような保持溝との間の所望される保持力などに応じて変更されてよいことを、当業者であれば理解するであろう。例えば、１つまたは複数の突起フィーチャは、フレームワーク上の１つまたは複数の突起フィーチャとアバットメント上の１つまたは複数の保持溝との対合係合（例えば、スナップフィット係合）を実現するのに約１／２ｌｂ．（２．２Ｎ）から約２０ｌｂ．（９０Ｎ）の範囲、例えば約５ｌｂ．（２２Ｎ）から約２０ｌｂ．（９０Ｎ）の力で十分であるように、構成されてよい。やはり非限定の例では、突起フィーチャの寸法は、唾液などによりアバットメント上でのフレームワークの保持力が高められて、後でより詳細に考察するようにアバットメントとフレームワークとの間に密閉状態を形成するように作用する前に、約１ｌｂ．（４．４Ｎ）から約１．５ｌｂ．（６．７Ｎ）の範囲の力を受けてフレームワークがアバットメントから引き抜かれ得るような（すなわち、１つまたは複数の突起フィーチャがアバットメント上の１つまたは複数の溝から外される）、寸法であってよい。
【０１２２】
別の例示の実施形態（図示せず）では、フレームワークは、平坦表面部分３５２０を備えないことを除いて、フレームワーク３５００と実質的に同じであってよい。このような事例では、突起リングは、フレームワークの内側周囲表面の全体の周りを延在していてよい。患者の口の中に複数のリストレーションが必要である場合、平坦表面部分３５２０を備えない一対のこのようなフレームワークが通常使用される。複数のリストレーションに関連して使用される一対のいわゆる「丸形の」フレームワーク（通常、ブリッジ（ｂｒｉｄｇｅ）として使用される）の使用は、当業者であれば精通している。
【０１２３】
種々の例示の実施形態では、本教示によるインプラントに対して固定されるフレームワークは、種々の生体適合性金属、または、例えば半貴石の貴金属合金などの生体適合性金属合金で作られてよい。使用され得る１つの例示の適切な金属合金は、約６０％から約７０％のパラジウムおよび約１５％未満の銀を含む。フレームワークを作ることができる別の適切な材料には、例えばジルコニウム複合材料またはジルコニウム合金などの、ジルコニウムが含まれる。
【０１２４】
また、適切な例示の材料には種々の生体適合性セラミックが含まれてよい。このように、上述の種々の例示の実施形態は、金属のフレームワークを形成するための「ロストワックス」鋳造手順を説明しているが、このような技術は例示であり、限定するものではない。この点に関連して、本教示はさらに、本教示の例示の実施形態によるフレームワークを形成するのにフライス加工および／または別の機械加工技術を使用することを、企図する。このような技術では、患者の口の中のインプラントに取り付けられるアバットメントのスキャン画像をとることができ、フレームワークはそのスキャン画像から得られる構成（形状および寸法）になるようにフライス加工され得、それにより、スナップフィット保持などを介してアバットメントに対合係合されるように構成される、１つまたは複数の突起フィーチャを備えるフレームワークが作られ得る。当業者であればフレームワークを作るのに適した種々の材料に精通しており、このようなフレームワークを作るための技術は選択される材料に応じて変更される。
【０１２５】
したがって、本教示の種々の例示の実施形態によると、デンタルインプラントに対して固定される永久的リストレーションのために使用されるフレームワークは、本教示の例示の実施形態による１つまたは複数の保持溝を含むアバットメントと、スナップフィットによる確実かつ正確な係合を形成するように構成されていてよい。本教示の例示の実施形態による一時的コーピングおよび印象コーピングと同様に、また、本明細書で説明したように、フレームワークはさらに、図２２Ａおよび２２Ｂに示されるフィニッシュラインＳと同様の、インプラントの肩部とのフィニッシュラインを形成するように構成されていてよい。例示の実施形態によるアバットメントと例示の実施形態によるフレームワークとのスナップフィット係合により、セメントまたは別のタイプの接着剤結合を必要とすることなく永久的リストレーションをデンタルインプラントに対して固定することを可能にすることができる。
【０１２６】
さらに、任意の特定の理論に縛られるのを望むものではないが、本出願の発明者らは、１つまたは複数の突起フィーチャを含むフレームワークが本教示によるアバットメント上の１つまたは複数の対応する保持溝に係合されると、一定時間後、アバットメントおよびフレームワークが移植されている患者の口からの唾液がフレームワークとアバットメントとの間の密閉状態を強めて、永久的な交換歯を支持するのに十分である確実で長持ちする係合を確保するのを補助すると、考える。さらに、フレームワークの周りでの組織成長もアバットメントに対するフレームワークの保持を強化する場合がある。唾液および／または組織成長がアバットメントに対するフレームワークの保持を強化することが可能となるような一定の時間が経過した後では、種々の例示の実施形態では、フレームワークをアバットメントから離して持ち上げるのに必要となる力は約２０ｌｂ．（９０Ｎ）から約３０ｌｂ．（１３３Ｎ）の範囲であってよい。
【０１２７】
種々の例示の実施形態は、インプラントに固定されているアバットメントに係合される構成要素の根尖側端部のためのフィニッシュラインを形成する肩部を有するインプラントを用いた使用法を参照して本明細書において説明しているが、一部の事例では、構成要素がアバットメントに固定されている場合ではインプラントの肩部に容易に到達することができない可能性がある。例えば、一部の事例では、インプラントは骨の下に埋められる場合があり（例えば、デュアルステージインプラント（ｄｕａｌ−ｓｔａｇｅ  ｉｍｐｌａｎｔ））、または、患者が、インプラントの肩部を覆うくらいの厚い組織境界を有する場合もある（例えば、組織境界が約３ｍｍ以上である）。したがって、このような状況では、本教示は、それにスナップフィットされている構成要素の根尖側端部が対合され得るような肩部を含むアバットメントがフィニッシュラインを形成することを、企図する。肩部４１０５を有するアバットメント４１００の例示の実施形態が図４１に示されている。示されるように、アバットメント４１００は、インプラント係合部分４１４０と構成要素支持部分４１５０とを間に歯肉用のカフ（ｇｉｎｇｉｖａｌ  ｃｕｆｆ）４１４５を有していてよい。インプラント係合部分４１４０から構成要素支持部分４１５０までの歯肉用のカフの長さは約１ｍｍから約４ｍｍの範囲であってよい。肩部４１０５が、歯肉用のカフ４１４５の歯冠側端部のところの、保持溝４１２５のわずかに下方に位置されてよい。肩部４１０５はインプラント１０００上の肩部１０５０と同様の形で角度がつけられていてよく、本明細書に記載される種々の構成要素は、肩部４１０５に同一平面で対合接触されるように構成される角度がつけられた表面を形成する根尖側端部を有していてよい。肩部４１０５の反対側の歯肉用のカフ４１４５の端部は、アバットメント４１００が係合されるインプラント上の肩部（例えば、インプラント１００上の肩部１０５０）に同一平面で接触する形で対合されるように構成された角度つきの表面を備えていてよい。アバットメント４１００の他の部分はアバットメント１００と実質的に同じであってよく、したがって説明しない。
【０１２８】
さらに、本明細書で説明する本教示の種々の例示の実施形態は１つまたは複数の突起フィーチャと１つまたは複数の保持溝との間にスナップフィット係合を採用するが、これらの突起フィーチャと保持溝と間の対合係合には、このような突起フィーチャを有する構成要素を、このような保持溝を有するアバットメント上で所望される通りに保持することを実現するのに十分であるような種々の締まり嵌めが含まれてよいと考えられる。したがって、本教示の種々の例示の実施形態による、突起フィーチャと保持溝との間での保持対合係合は、必ずしも、これらの部品が係合されるときに聞き取れるおよび／または触知できる「スナップ」を発生させるわけではないことを、当業者であれば理解されたい。
【０１２９】
本明細書で説明する種々の例示の実施形態はデンタルインプラントと共に使用されるように構成されて説明されるが、本教示による種々の構成要素は、それらのために印象をとることが所望される場合があるような、例えば口外インプラント（ｅｘｔｒａ−ｏｒａｌ  ｉｍｐｌａｎｔ）および／または整形外科インプラントを含めた別のタイプの骨インプラントおよび／または軟骨インプラントと共に使用されるように構成され得ると考えられる。口外インプラントの例には、例えば、人口眼球、耳または鼻に使用されるインプラントが含まれてよい。
【０１３０】
本明細書および添付の特許請求の範囲においては、特に指示しない限り、本明細書および特許請求の範囲で使用される量、割合、比および別の数値を表すすべての数字は、すべての例において「約」という言葉によって修正されるものとして理解されたい。したがって、反対の趣旨となるように特に指示しない限り、記述される説明および特許請求に記載される数値パラメータは、本発明によって達成されるように求められる所望の性質に応じて変更されてよい近似値である。特許請求の範囲に対する均等論の適用を少なくとも限定しようとするものではないが、各数値パラメータは、少なくとも、記載される有効数字の数値に照らして、通常の丸め手法を適用することによって解釈されるべきである。
【０１３１】
本発明の広い範囲を示す数値の範囲およびパラメータは近似値ではあるが、特定の実施例に記載れる数値は可能な限り精密に示されている。しかし、いずれの数値も、それらのそれぞれの試験測定値で見られる標準偏差から必然的に生じる一定の誤差を本質的に含む。さらに、本明細書で開示されるすべての範囲は、それに含まれるすべてのいかなる部分的な範囲も包含することを理解されたい。例えば、「１０未満」という範囲は、最小値であるゼロと最大値である１０との間（それらを含む）のすべてのいかなる部分的な範囲も含む。すなわち、すべてのいかなる部分的な範囲も、例えば１から５までのように、ゼロ以上の最小値と１０以下の最大値とを有する。
【０１３２】
本明細書および添付の特許請求の範囲で使用される単数形「ａ」、「ａｎ」および「ｔｈｅ」が、特に明確に１個の対象物に限定されない限り、複数の対象物を含むことに留意されたい。本明細書で使用される「含む」という言葉およびその文法上の変形は、限定しないことを意図しており、したがって、リスト内での項目の列挙は、記載される項目と交換され得るまたはそれに加えられ得る別の同様の項目を排除するものではない。
【０１３３】
本開示の装置および方法に対して、その教示の範囲から逸脱することなく種々の修正および変更がなされ得ることは、当業者には明白であろう。例えば、部品の種々の寸法、形状、材料および／または構成は、所望の特徴および／または用途に基づいて変更されてよく、当業者であれば、本教示に照らしてそのような修正がいかにしてなされるかを理解するであろう。例えば、上で示して説明した例示の実施形態では、突起フィーチャは、局部的なものであってもまたは突起リングの形態であっても、概してラジアル形状を有するが（例えば、半球形）、当業者であれば、限定しないが、例えば、矩形、立方体形、角錐形などを含む種々の形状および構成の突起フィーチャが本教示の範囲から逸脱することなく使用され得ることを理解するであろう。さらに、上述の例示の実施形態では、種々の保持溝が、実質的にアーク形状の外形を有するラジアス形の溝として示されて説明されているが、当業者であれば、これらの溝が、限定しないが、例えばノッチ形状（例えば、Ｖ形）、すなわち複数の側面を有する形状を含めた、種々の形状を有することができることを理解するであろう。
【０１３４】
さらに、図３９に示されているような角度つきアバットメントが例えば設けられ得、さらに、対応する構成要素の部品がこのような角度つきアバットメントと協働することが所望される場合に変更され得ることを、当業者であれば理解するであろう。
【０１３５】
上述した例示の実施形態では、種々の特徴を考察した。本明細書において具体的に説明していなくても、一部の事例では、例示の一実施形態に対して説明された特徴が別の例示の実施形態に加えられ得るおよび／または別の例示の実施形態と共に使用され得ることを、当業者であれば理解するであろう。本教示は、当業者には明白であるような修正および組み合わせを包含することを意図する。
【０１３６】
本明細書で説明されて示された種々の例示の実施形態は本教示を限定することを意図しない。逆に、本教示は、変更形態、修正形態および均等物を包含することを意図する。本明細書で開示される本教示の明細書および実施から考慮すれば、当業者には本教示の別の実施形態が明らかとなろう。本明細書および例示の実施形態は単に例示としてみなされ、特許請求の範囲には本教示によって支持される幅の範囲が与えられることが意図される。
【図１】
2012517861.tif 000003
【図２】
2012517861.tif 000004
【図３】
2012517861.tif 000005
【図４】
2012517861.tif 000006
【図５】
2012517861.tif 000007
【図６】
2012517861.tif 000008
【図７】
2012517861.tif 000009
【図８】
2012517861.tif 000010
【図９】
2012517861.tif 000011
【図１０】
2012517861.tif 000012
【図１１】
2012517861.tif 000013
【図１２】
2012517861.tif 000014
【図１３】
2012517861.tif 000015
【図１４】
2012517861.tif 000016
【図１５】
2012517861.tif 000017
【図１６】
2012517861.tif 000018
【図１７】
2012517861.tif 000019
【図１８】
2012517861.tif 000020
【図１９】
2012517861.tif 000021
【図２０】
2012517861.tif 000022
【図２１】
2012517861.tif 000023
【図２２Ａ】
2012517861.tif 000024
【図２２Ｂ】
2012517861.tif 000025
【図２３】
2012517861.tif 000026
【図２４】
2012517861.tif 000027
【図２５】
2012517861.tif 000028
【図２６】
2012517861.tif 000029
【図２７】
2012517861.tif 000030
【図２８】
2012517861.tif 000031
【図２９】
2012517861.tif 000032
【図３０】
2012517861.tif 000033
【図３１】
2012517861.tif 000034
【図３２】
2012517861.tif 000035
【図３３】
2012517861.tif 000036
【図３４】
2012517861.tif 000037
【図３５】
2012517861.tif 000038
【図３６】
2012517861.tif 000039
【図３７】
2012517861.tif 000040
【図３８】
2012517861.tif 000041
【図３９】
2012517861.tif 000042
【図４０】
2012517861.tif 000043
【図４１】
2012517861.tif 000044
【国際調査報告】
2012517861.tif 000045
2012517861.tif 000046